(57)【要約】【課題】放送局の意図に応じて柔軟な画面遷移制御あるいは画面表示制御が可能な受信端末、信頼度判定装置および信頼度判定システムを提供することを課題とする。【解決手段】信頼度判定システムＳは、放送送信装置４２から送信されたストリームを受信し、このストリームに含まれるデータ放送コンテンツ、あるいは、指示されたアプリケーションを映像音声コンテンツと併せて表示画面Ｄに表示するとともに、この表示画面Ｄに表示されたデータ放送コンテンツやアプリケーションを参照したユーザからの遷移要求を受け付け、この遷移要求にかかる遷移先の最新の信頼度に応じた制御ポリシーに応じて画面遷移制御あるいは画面表示制御を行う受信端末１と、遷移先毎の信頼度を保有し、受信端末１からの遷移要求にかかる遷移先の信頼度の問い合わせである遷移先信頼度問い合わせに応じてこの遷移先の信頼度を判定して受信端末１に応答する信頼度判定装置２と、からなる。【選択図】図２
2012221346.tif 000002
【特許請求の範囲】
【請求項１】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの受信端末であって、
入力手段を介してユーザから入力された前記遷移要求を検知する遷移要求検知手段と、
この遷移要求検知手段で検知された遷移要求にかかる遷移先を特定する遷移先情報を含んだ遷移先信頼度問い合わせを前記信頼度判定装置に送信する遷移先信頼度問い合わせ手段と、
前記送信装置で生成された、前記遷移先の信頼度に応じた画面遷移あるいは画面表示の条件を定める制御ポリシーを前記遷移先の信頼度と結び付けて記憶する制御ポリシー記憶手段と、
前記信頼度判定装置から前記遷移先信頼度問い合わせに対応する判定結果である遷移先の信頼度を受信する信頼度受信手段と、
前記制御ポリシー記憶手段を参照し、前記信頼度受信手段で受信された遷移先の信頼度と結びついた制御ポリシーを解釈する制御ポリシー判定手段と、
この制御ポリシー判定手段により、前記制御ポリシーで、前記遷移先のコンテンツの表示が許可されていると解釈された場合、前記遷移先から該当コンテンツを取得するデータ取得手段と、
このデータ取得手段で取得されたコンテンツに含まれるコンテンツ記述言語を解釈すると共に、前記制御ポリシーで規定された表示条件にしたがった表示用データを生成して前記表示画面に表示する表示手段と、を備える
ことを特徴とする受信端末。
【請求項２】
前記送信装置によって前記制御ポリシーが更新された場合、この更新後の制御ポリシーを取得し、前記制御ポリシー記憶手段に記憶された前記制御ポリシーを前記更新後の制御ポリシーに更新する制御ポリシー更新手段を備える
ことを特徴とする請求項１に記載の受信端末。
【請求項３】
最新の遷移先情報を記憶する最新遷移先記憶手段と、
前記遷移要求検知手段によって前記遷移要求が検知されたときに、この遷移要求にかかる遷移先を特定する遷移先情報が前記最新遷移先記憶手段に記憶された前記最新の遷移先情報と一致するか否かを判定し、これらが一致する場合、前記遷移要求にかかる遷移先について遷移先信頼度問い合わせが不要であると判断し、これらが一致しない場合、前記遷移要求にかかる遷移先について遷移先信頼度問い合わせが必要であると判断する遷移先信頼度問い合わせ要否判定手段をさらに備え、
前記遷移先信頼度問い合わせ手段は、
前記遷移先信頼度問い合わせ要否判定手段で遷移先信頼度問い合わせが必要であると判断された場合、前記遷移先情報を含む遷移先信頼度問い合わせを前記信頼度判定装置に送信する
ことを特徴とする請求項１または請求項２に記載の受信端末。
【請求項４】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの受信端末において、前記遷移要求にかかる遷移先の信頼度に応じた制御ポリシーに応じて前記表示画面の画面遷移制御あるいは画面表示制御を行うために、コンピュータを、
入力手段を介してユーザから入力された前記遷移要求を検知する遷移要求検知手段、
この遷移要求検知手段で検知された遷移要求にかかる遷移先を特定する遷移先情報を含んだ遷移先信頼度問い合わせを前記信頼度判定装置に送信する遷移先信頼度問い合わせ手段、
前記送信装置で生成された、前記遷移先の信頼度に応じた前記表示画面の表示条件を定める制御ポリシーを前記遷移先の信頼度と結び付けて記憶する制御ポリシー記憶手段と、
前記信頼度判定装置から前記遷移先信頼度問い合わせに対応する遷移先の信頼度を受信する信頼度受信手段、
前記制御ポリシー記憶手段を参照し、前記信頼度受信手段で受信された遷移先の信頼度と結びついた制御ポリシーを解釈する制御ポリシー判定手段、
この制御ポリシー判定手段により、前記制御ポリシーで、前記遷移先のコンテンツの表示が許可されていると解釈された場合、前記遷移先から該当コンテンツを取得するデータ取得手段、
このデータ取得手段で取得されたコンテンツに含まれるコンテンツ記述言語を解釈すると共に、前記制御ポリシーで規定された表示条件にしたがった表示用データを生成して前記表示画面に表示する表示手段、として機能させる
ことを特徴とする受信プログラム。
【請求項５】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの信頼度判定装置であって、
遷移先毎の信頼度の一覧である信頼度リストを生成する信頼度リスト生成手段と、
この信頼度リストを記憶する信頼度リスト記憶手段と、
前記受信端末から遷移先信頼度問い合わせを受信するとともに前記信頼度リスト記憶手段を参照して前記遷移要求にかかる遷移先の信頼度を判定する遷移先信頼度判定手段と、
この判定結果を、前記受信端末に送信する判定結果送信手段と、を備え、
前記信頼度リスト生成手段は、
外部からの更新要求、あるいは、所定の更新タイミングに応じて新たな信頼度リストを生成し、前記信頼度リスト記憶手段に記憶された前記信頼度リストを、この新たな信頼度リストに更新する
ことを特徴とする信頼度判定装置。
【請求項６】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの信頼度判定装置において、前記遷移先信頼度問い合わせにかかる遷移先の信頼度を判定し、判定結果を受信端末に応答するために、前記信頼度判定装置のコンピュータを、
遷移先毎の信頼度の一覧である信頼度リストを生成して信頼度リスト記憶手段に記憶させる信頼度リスト生成手段、
前記受信端末から遷移先信頼度問い合わせを受信するとともに前記信頼度リスト記憶手段を参照して前記遷移要求にかかる遷移先の信頼度を判定する遷移先信頼度判定手段と、
この判定結果を、前記受信端末に送信する判定結果送信手段、として機能させ、
前記信頼度リスト生成手段は、
外部からの更新要求、あるいは、所定の更新タイミングに応じて新たな信頼度リストを生成し、前記信頼度リスト記憶手段に記憶された前記信頼度リストを、この新たな信頼度リストに更新する
ことを特徴とする信頼度判定プログラム。
【請求項７】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムであって、
前記受信端末は、
入力手段を介してユーザから入力された前記遷移要求を検知する遷移要求検知手段と、
この遷移要求検知手段で検知された遷移要求にかかる遷移先を特定する遷移先情報を含んだ遷移先信頼度問い合わせを前記信頼度判定装置に送信する遷移先信頼度問い合わせ手段と、
前記送信装置で生成された、前記遷移先の信頼度に応じた前記表示画面の表示条件を定める制御ポリシーを前記遷移先の信頼度と結び付けて記憶する制御ポリシー記憶手段と、
前記信頼度判定装置から前記遷移先信頼度問い合わせに対応する遷移先の信頼度を受信する信頼度受信手段と、
前記制御ポリシー記憶手段を参照し、前記信頼度受信手段で受信された遷移先の信頼度と結びついた前記制御ポリシーを解釈する制御ポリシー判定手段と、
この制御ポリシー判定手段により、前記制御ポリシーで、前記遷移先のコンテンツの表示が許可されていると解釈された場合、前記遷移先から該当コンテンツを取得するデータ取得手段と、
このデータ取得手段で取得されたコンテンツに含まれるコンテンツ記述言語を解釈すると共に、前記制御ポリシーで規定された表示条件にしたがった表示用データを生成して前記表示画面に表示する表示手段と、を備え、
前記信頼度判定装置は、
遷移先毎の信頼度の一覧である信頼度リストを生成して信頼度リスト記憶手段に記憶させる信頼度リスト生成手段と、
前記受信端末から遷移先信頼度問い合わせを受信するとともに前記信頼度リスト記憶手段を参照して前記遷移要求にかかる遷移先の信頼度を判定する遷移先信頼度判定手段と、
この判定結果を、前記受信端末に送信する判定結果送信手段と、を備え、
前記信頼度リスト生成手段は、
外部からの更新要求、あるいは、所定の更新タイミングに応じて新たな信頼度リストを生成し、前記信頼度リスト記憶手段に記憶された前記信頼度リストを、この新たな信頼度リストに更新する
ことを特徴とする信頼度判定システム。
【請求項８】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末であって、
入力手段を介してユーザから入力された前記表示画面の遷移要求を検知する遷移要求検知手段と、
前記送信装置で生成された、遷移先毎の信頼度の一覧である信頼度リストを記憶する信頼度リスト記憶手段と、
前記信頼度リスト記憶手段を参照し、前記遷移要求検知手段で検知された遷移要求にかかる遷移先の最新の信頼度を判定する遷移先信頼度判定手段と、
前記送信装置で生成された、前記遷移先の信頼度に応じた前記表示画面の表示条件を定める制御ポリシーを前記遷移先の信頼度と結び付けて記憶する制御ポリシー記憶手段と、
この制御ポリシー記憶手段を参照し、前記遷移先信頼度判定手段で判定された前記遷移要求にかかる遷移先の信頼度と結びついた前記制御ポリシーを解釈する制御ポリシー判定手段と、
この制御ポリシー判定手段により、前記制御ポリシーで、前記遷移先のコンテンツの表示が許可されていると解釈された場合、前記遷移先から該当コンテンツを取得するデータ取得手段と、
このデータ取得手段で取得されたコンテンツに含まれるコンテンツ記述言語を解釈すると共に、前記制御ポリシーで規定された表示条件にしたがった表示用データを生成して前記表示画面に表示する表示手段と、を備える
ことを特徴とする受信端末。
【請求項９】
前記送信装置によって、前記信頼度リストが更新された場合、この更新後の信頼度リストを取得し、前記信頼度リスト記憶手段に記憶された前記信頼度リストを、この新たな信頼度リストに更新する信頼度リスト更新手段を備える
ことを特徴とする請求項８に記載の受信端末。
【請求項１０】
前記送信装置によって前記制御ポリシーが更新された場合、この更新後の制御ポリシーを取得し、前記制御ポリシー記憶手段に記憶された前記制御ポリシーを前記更新後の制御ポリシーに更新する制御ポリシー更新手段を備える
ことを特徴とする請求項８または請求項９に記載の受信端末。
【請求項１１】
送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行うために、コンピュータを、
入力手段を介してユーザから入力された前記表示画面の遷移要求を検知する遷移要求検知手段、
前記送信装置で生成された、遷移先毎の信頼度の一覧である信頼度リストを記憶する信頼度リスト記憶手段、
前記信頼度リスト記憶手段を参照し、前記遷移要求検知手段で検知された遷移要求にかかる遷移先の最新の信頼度を判定する遷移先信頼度判定手段、
前記送信装置で生成された、前記遷移先の信頼度に応じた前記表示画面の表示条件を定める制御ポリシーを前記遷移先の信頼度と結び付けて記憶する制御ポリシー記憶手段、
この制御ポリシー記憶手段を参照し、前記遷移先信頼度判定手段で判定された前記遷移要求にかかる遷移先の信頼度と結びついた前記制御ポリシーを解釈する制御ポリシー判定手段、
この制御ポリシー判定手段により、前記制御ポリシーで、前記遷移先のコンテンツの表示が許可されていると解釈された場合、前記遷移先から該当コンテンツを取得するデータ取得手段、
このデータ取得手段で取得されたコンテンツに含まれるコンテンツ記述言語を解釈すると共に、前記制御ポリシーで規定された表示条件にしたがった表示用データを生成して前記表示画面に表示する表示手段、として機能させる
ことを特徴とする受信プログラム。
【発明の詳細な説明】
【技術分野】
【０００１】
本発明は、放送事業者が遷移先ドメイン毎に定めた信頼度に応じた制御ポリシーにしたがって、ユーザが参照する表示画面の画面遷移あるいは画面表示を制御することが可能な技術に関する。
【背景技術】
【０００２】
受信端末は、通信機能を搭載しており、放送波からだけでなくネットワーク経由でもコンテンツを取得することができる。例えば、データ放送コンテンツ内に通信コンテンツのＵＲＩ（Uniform Resource Identifier）を遷移先として予め指定しておくことで、ユーザは、この通信コンテンツへの遷移を誘導する遷移ボタン押下などの操作により、指定の通信コンテンツに遷移することができる。また、近年、受信端末上でアプリケーションを起動し、ユーザが、このアプリケーション上で様々な通信サービスを享受できるようにすることも検討されている（例えば、特許文献１参照）。
【０００３】
一方で、放送事業者が意図しない通信コンテンツが、映像や音声などの放送コンテンツ（以下、映像音声コンテンツともいう。）を参照したり、あるいは、それらのコンテンツが同時に表示されたりすることに関して懸念する見方がある。
その対策として、現状の地上デジタルテレビジョン放送の運用規定では、データ放送コンテンツが最初に指定した通信コンテンツＵＲＩのホスト名およびディレクトリ名をベースＵＲＩとして定義し、ベースＵＲＩディレクトリ以下の通信コンテンツに遷移した場合をリンク状態、その他の通信コンテンツに遷移した場合を非リンク状態とし、それぞれ利用できるＡＰＩ（Application Programming Interface）や放送コンテンツの参照可否を区別している（非特許文献１参照）。これは、便宜的に、放送事業者が保証できる通信コンテンツを、最初に遷移した遷移先ドメイン下の通信コンテンツに限定するようにしたものである。
【０００４】
また例えば、映像音声コンテンツの提供者側が、意図しない参照元からのコンテンツの参照を防止するため、映像音声コンテンツを制御するためのメタデータに、コンテンツの参照許可あるいは不許可の記述を行うことが可能な技術が開発されている（例えば、特許文献２参照）。特許文献２に記載の手法によれば、映像音声コンテンツの提供者は、コンテンツ単位で参照可否の制御を行うことが可能となる。
【先行技術文献】
【特許文献】
【０００５】
【特許文献１】特許第４０４５８０５号公報
【特許文献２】特開２００９−２７１９１４号公報
【非特許文献】
【０００６】
【非特許文献１】地上デジタルテレビジョン放送運用規定  技術資料ARIB TR-B14 3.8版（第一分刷） (2/2) 5.14.7
【発明の概要】
【発明が解決しようとする課題】
【０００７】
ところで、例えば、通信コンテンツの内容が現在放送中の番組の内容と関連がある場合などには、その通信コンテンツへの遷移を許可することによって、ユーザにとっては、よりよいサービスが受けられ、放送局にとっては、放送中の番組と相乗効果が得られることで放送中の番組のユーザへの訴求効果が高まるなどのメリットがある場合もある。このため、場面に応じて、放送局外であっても、放送事業者が保証できる遷移先であれば遷移を許容するという柔軟な対応を可能とする仕組みが求められている。
【０００８】
しかしながら、非特許文献１に記載の手法では、放送事業者が保証する通信コンテンツが、ベースＵＲＩディレクトリ以下の通信コンテンツに限定されてしまうため、その時々に応じた柔軟な運用が不可能であるという問題がある。また、特許文献２に記載の手法では、コンテンツ単位で参照可否の制御を行うため、非特許文献１に記載の手法に比べて柔軟な運用が可能であるが、コンテンツ単位で参照許可ドメインや参照不許可ドメインを指定して記述しなければならないため、例えば、時間単位での制御など、より柔軟な参照制御を行うことが困難であるという問題がある。
【０００９】
本発明は、以上のような問題点に鑑みてなされたものであり、放送局から送出される映像音声コンテンツと通信コンテンツが画面上に同時に提示される状況において、放送局の意図に応じてより柔軟な画面遷移制御あるいは画面表示制御が可能な受信端末、信頼度判定装置および信頼度判定システムを提供することを課題とする。
【課題を解決するための手段】
【００１０】
本発明は、前記課題を解決するために創案されたものであり、まず請求項１に記載の発明は、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの受信端末であって、遷移要求検知手段と、遷移先信頼度問い合わせ手段と、制御ポリシー記憶手段と、信頼度受信手段と、制御ポリシー判定手段と、データ取得手段と、表示手段と、を備えることを特徴とする。
【００１１】
請求項１に記載の発明によれば、受信端末は、遷移要求検知手段によって、入力手段を介してユーザから入力された前記遷移要求を検知する。
また、受信端末は、遷移先信頼度問い合わせ手段によって、遷移要求検知手段で検知された遷移要求にかかる遷移先を特定する遷移先情報を含んだ遷移先信頼度問い合わせを信頼度判定装置に送信する。
また、受信端末は、制御ポリシー記憶手段によって、送信装置で生成された、遷移先の信頼度に応じた画面遷移あるいは画面表示の条件を定める制御ポリシーを記憶する。これにより、放送局の意図に適合した画面遷移制御あるいは画面表示制御を行うことが可能となる。
さらに、受信端末は、信頼度受信手段によって、信頼度判定装置から遷移先信頼度問い合わせに対応する遷移先の信頼度を問い合わせ結果として受信する。
そして、受信端末は、制御ポリシー判定手段によって、制御ポリシー記憶手段を参照し、信頼度受信手段で受信された遷移先の信頼度と結びついた制御ポリシーを解釈する。
また、受信端末は、制御ポリシー判定手段により、制御ポリシーで、遷移先のコンテンツの表示が許可されていると解釈された場合、データ取得手段によって、遷移先から該当コンテンツを取得する。
そして、受信端末は、表示手段によって、データ取得手段で取得されたコンテンツに含まれるコンテンツ記述言語を解釈すると共に、制御ポリシーで規定された表示条件にしたがった表示用データを生成し、表示画面に表示する。
【００１２】
これによれば、受信端末は、遷移先の最新の信頼度に応じた制御ポリシーにしたがって、放送局の意図に適合した適切な画面遷移制御あるいは画面表示制御を行うことが可能となる。また、放送局側でコンテンツ毎に表示許可あるいは不許可を予め設定する必要がなく、遷移先毎に信頼度を設定し、この信頼度に応じて予め定めた表示ポリシーにしたがって画面遷移制御あるいは画面表示制御を行うことができるので、より細かな時間に対応した制御を行うことができる。
【００１３】
請求項２に記載の受信端末は、請求項１に記載の受信端末であって、前記送信装置によって前記制御ポリシーが更新された場合、この更新後の制御ポリシーを取得し、前記制御ポリシー記憶手段に記憶された前記制御ポリシーを前記更新後の制御ポリシーに更新する制御ポリシー更新手段を備えることを特徴とする。
【００１４】
これによれば、受信端末は、コンテンツ取得先の信頼度に応じて、最新の放送局の意図に適合した表示画面の画面遷移制御あるいは画面表示制御を行うことが可能となる。
【００１５】
請求項３に記載の受信端末は、請求項１または請求項２に記載の受信端末において、最新の遷移先情報を記憶する最新遷移先記憶手段と、前記遷移要求検知手段によって前記遷移要求が検知されたときに、この遷移要求にかかる遷移先を特定する遷移先情報が前記最新遷移先記憶手段に記憶された前記最新の遷移先情報と一致するか否かを判定し、これらが一致する場合、前記遷移要求にかかる遷移先について遷移先信頼度問い合わせが不要であると判断し、これらが一致しない場合、前記遷移要求にかかる遷移先について遷移先信頼度問い合わせが必要であると判断する遷移先信頼度問い合わせ要否判定手段をさらに備え、前記遷移先信頼度問い合わせ手段は、前記遷移先信頼度問い合わせ要否判定手段で遷移先信頼度問い合わせが必要であると判断された場合、前記遷移先情報を含む遷移先信頼度問い合わせを前記信頼度判定装置に送信することを特徴とする。
【００１６】
これによれば、受信端末は、最新の遷移先と同じ遷移先内での遷移要求が続く場合には、信頼度判定装置に遷移先信頼度問い合わせを行わなくても、信頼度が確認された遷移先として適切な表示画面の画面遷移制御あるいは画面表示制御を行うことが可能となる。
【００１７】
請求項４に記載の受信プログラムは、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの受信端末において、前記遷移要求にかかる遷移先の信頼度に応じた制御ポリシーに応じて前記表示画面の画面遷移制御あるいは画面表示制御を行うために、コンピュータを、遷移要求検知手段、遷移先信頼度問い合わせ手段、制御ポリシー記憶手段、信頼度受信手段、制御ポリシー判定手段、データ取得手段、表示手段、として機能させることを特徴とする。
【００１８】
請求項４に記載の発明によれば、受信プログラムは、遷移要求検知手段によって、入力手段を介してユーザから入力された前記遷移要求を検知する。
また、受信プログラムは、遷移先信頼度問い合わせ手段によって、遷移要求検知手段で検知された遷移要求にかかる遷移先を特定する遷移先情報を含んだ遷移先信頼度問い合わせを信頼度判定装置に送信する。
またさらに、受信プログラムは、信頼度受信手段によって、信頼度判定装置から遷移先信頼度問い合わせに対応する遷移先の信頼度を問い合わせ結果として受信する。
そして、受信プログラムは、制御ポリシー判定手段によって、送信装置で生成された、遷移先の信頼度に応じた画面遷移あるいは画面表示の条件を定める制御ポリシーを遷移先の信頼度と結び付けて記憶する制御ポリシー記憶手段を参照し、信頼度受信手段で受信された遷移先の信頼度と結びついた制御ポリシーを解釈する。
また、受信プログラムは、制御ポリシー判定手段により、制御ポリシーで、遷移先のコンテンツの表示が許可されていると解釈された場合、データ取得手段によって、遷移先から該当コンテンツを取得する。
そして、受信プログラムは、表示手段によって、データ取得手段で取得されたコンテンツに含まれるコンテンツ記述言語を解釈すると共に、制御ポリシーで規定された表示条件にしたがった表示用データを生成し、表示画面に表示する。
【００１９】
請求項５に記載の発明は、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの信頼度判定装置であって、信頼度リスト生成手段と、信頼度リスト記憶手段と、遷移先信頼度判定手段と、判定結果送信手段と、を備え、前記信頼度リスト生成手段は、更新要求に応じて、あるいは、予め定めた更新タイミングで新たな信頼度リストを生成し、前記信頼度リスト記憶手段に記憶された前記信頼度リストを、この新たな信頼度リストに更新することを特徴とする。
【００２０】
請求項５に記載の発明によれば、信頼度判定装置は、信頼度リスト生成手段によって、遷移先毎の信頼度の一覧である信頼度リストを生成する。また、信頼度判定装置は、信頼度リスト記憶手段によって、この信頼度リストを記憶する。
さらに、信頼度判定装置は、遷移先信頼度判定手段によって、受信端末から遷移先信頼度問い合わせを受信するとともに信頼度リスト記憶手段を参照して遷移要求にかかる遷移先の信頼度を判定する。
そして、信頼度判定装置は、判定結果送信手段によって、判定結果を、受信端末に送信する。
また、信頼度判定装置は、信頼度リスト生成手段によって、更新要求に応じて、あるいは、予め定めた更新タイミングで新たな信頼度リストを生成し、信頼度リスト記憶手段に記憶された信頼度リストを、この新たな信頼度リストに更新する。
これによれば、信頼度判定装置は、信頼度リストを頻繁に更新しても、受信端末からの遷移先信頼度問い合わせに対して、最新の信頼度リストに基づいて信頼度を正確に判定して応答することが可能となる。
【００２１】
請求項６に記載の発明は、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムの信頼度判定装置において、前記遷移先信頼度問い合わせにかかる遷移先の信頼度を判定し、判定結果を受信端末に応答するために、前記信頼度判定装置のコンピュータを、信頼度リスト生成手段、信頼度リスト記憶手段、遷移先信頼度判定手段、判定結果送信手段、として機能させ、前記信頼度リスト生成手段は、更新要求に応じて、あるいは、予め定めた更新タイミングで新たな前記信頼度リストを生成し、前記信頼度リスト記憶手段に記憶された前記信頼度リストを、この新たな信頼度リストに更新することを特徴とする。
【００２２】
請求項６に記載の発明によれば、信頼度判定プログラムは、信頼度リスト生成手段によって、遷移先毎の信頼度の一覧である信頼度リストを生成する。また、信頼度判定装置は、信頼度リスト記憶手段によって、この信頼度リストを記憶する。
さらに、信頼度判定プログラムは、遷移先信頼度判定手段によって、受信端末から遷移先信頼度問い合わせを受信するとともに信頼度リスト記憶手段を参照して遷移要求にかかる遷移先の信頼度を判定する。
そして、信頼度判定プログラムは、判定結果送信手段によって、判定結果を、受信端末に送信する。
また、信頼度判定プログラムは、信頼度リスト生成手段によって、更新要求に応じて、あるいは、予め定めた更新タイミングで新たな信頼度リストを生成し、信頼度リスト記憶手段に記憶された信頼度リストを、この新たな信頼度リストに更新する。
これによれば、信頼度判定プログラムは、信頼度リストを頻繁に更新しても、受信端末からの遷移先信頼度問い合わせに対して、最新の信頼度リストに基づいて遷移先の信頼度を正確に判定して応答することが可能となる。
【００２３】
請求項７に記載の発明は、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末と、遷移先毎の信頼度を保有し、前記受信端末からの、前記遷移要求にかかる遷移先の信頼度の問い合わせである遷移先信頼度問い合わせに応じてこの遷移先の信頼度を判定して前記受信端末に応答する信頼度判定装置と、からなる信頼度判定システムであって、前記受信端末は、遷移要求検知手段と、遷移先信頼度問い合わせ手段と、制御ポリシー記憶手段と、信頼度受信手段と、制御ポリシー判定手段と、データ取得手段と、表示手段と、を備え、前記信頼度判定装置は、信頼度リスト生成手段と、信頼度リスト記憶手段と、遷移先信頼度判定手段と、判定結果送信手段と、を備え、前記信頼度リスト生成手段は、更新要求に応じて、あるいは、予め定めた更新タイミングで新たな前記信頼度リストを生成し、前記信頼度リスト記憶手段に記憶された前記信頼度リストを、この新たな信頼度リストに更新することを特徴とする。
【００２４】
請求項７に記載の発明によれば、受信端末は、遷移要求検知手段によって、入力手段を介してユーザから入力された前記遷移要求を検知する。
また、受信端末は、遷移先信頼度問い合わせ手段によって、遷移要求検知手段で検知された遷移要求にかかる遷移先を特定する遷移先情報を含んだ遷移先信頼度問い合わせを信頼度判定装置に送信する。
また、信頼度判定システムは、受信端末の制御ポリシー記憶手段によって、送信装置で生成された、遷移先の信頼度に応じた画面遷移あるいは画面表示の条件を定める制御ポリシーを遷移先の信頼度と結び付けて記憶する。
さらに、信頼度判定システムは、受信端末の信頼度受信手段によって、信頼度判定装置から遷移先信頼度問い合わせに対応する遷移先の信頼度を問い合わせ結果として受信する。
そして、信頼度判定システムは、受信端末の制御ポリシー判定手段によって、制御ポリシー記憶手段を参照し、信頼度受信手段で受信された遷移先の信頼度と結びついた制御ポリシーを解釈する。
また、信頼度判定システムは、受信端末の制御ポリシー判定手段により、制御ポリシーで、遷移先のコンテンツの表示が許可されていると解釈された場合、受信端末のデータ取得手段によって、遷移先から該当コンテンツを取得する。
そして、信頼度判定システムは、受信端末の表示手段によって、データ取得手段で取得されたコンテンツに含まれるコンテンツ記述言語を解釈すると共に、制御ポリシーで規定された表示条件にしたがった表示用データを生成し、表示画面に表示する。
また、信頼度判定システムは、信頼度判定装置の信頼度リスト生成手段によって、遷移先毎の信頼度の一覧である信頼度リストを生成する。また、信頼度判定システムは、信頼度判定装置の信頼度リスト記憶手段によって、この信頼度リストを記憶する。
さらに、信頼度判定システムは、信頼度判定装置の遷移先信頼度判定手段によって、受信端末から遷移先信頼度問い合わせを受信するとともに信頼度リスト記憶手段を参照して遷移要求にかかる遷移先の信頼度を判定する。
そして、信頼度判定システムは、信頼度判定装置の判定結果送信手段によって、判定結果を、受信端末に送信する。
また、信頼度判定システムは、信頼度判定装置の信頼度リスト生成手段によって、更新要求に応じて、あるいは、予め定めた更新タイミングで新たな信頼度リストを生成し、信頼度リスト記憶手段に記憶された信頼度リストを、この新たな信頼度リストに更新する。
【００２５】
これによれば、放送局側でコンテンツ毎に表示許可あるいは不許可を予め設定する必要がなく、遷移先毎に信頼度を設定し、この信頼度に応じて予め定めた表示ポリシーにしたがって画面遷移制御あるいは画面表示制御を行うことができるので、より細かな時間に対応した制御を行うことができる。
さらに、受信端末は、頻繁に更新される遷移要求にかかる遷移先の信頼度をその都度問い合わせ、信頼度判定装置は、最新の信頼度リストに基づいて信頼度を判定して応答するため、最新の状況や番組編成などに適合した遷移先の信頼度を判定することができる。
【００２６】
請求項８に記載の発明は、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行う受信端末であって、遷移要求検知手段と、信頼度リスト記憶手段と、遷移先信頼度判定手段と、制御ポリシー記憶手段と、制御ポリシー判定手段と、データ取得手段と、表示手段と、を備えることを特徴とする。
【００２７】
請求項８に記載の発明によれば、受信端末は、遷移要求検知手段によって、入力手段を介してユーザから入力された遷移要求を検知する。
また、受信端末は、信頼度リスト記憶手段によって、送信装置で生成された、遷移先毎の信頼度の一覧である信頼度リストを記憶する。
さらに、受信端末は、遷移先信頼度判定手段によって、信頼度リスト記憶手段を参照し、遷移要求検知手段で検知された遷移要求にかかる遷移先の最新の信頼度を判定する。これによって、受信端末内で、遷移要求にかかる遷移先の信頼度を判定することが可能となる。
またさらに、受信端末は、制御ポリシー記憶手段によって、送信装置で生成された、遷移先の信頼度に応じた画面遷移あるいは画面表示の条件を定める制御ポリシーを遷移先の信頼度と結び付けて記憶する。
そして、受信端末は、制御ポリシー判定手段によって、制御ポリシー記憶手段を参照し、遷移先信頼度判定手段で判定された遷移先の信頼度と結びついた制御ポリシーを解釈する。
また、受信端末は、制御ポリシー判定手段により、制御ポリシーで、遷移先のコンテンツの表示が許可されていると解釈された場合、データ取得手段によって、遷移先から該当コンテンツを取得する。
そして、受信端末は、表示手段によって、データ取得手段で取得されたコンテンツに含まれるコンテンツ記述言語を解釈すると共に、制御ポリシーで規定された表示条件にしたがった表示用データを生成し、表示画面に表示する。
【００２８】
請求項９に記載の発明は、請求項８に記載の受信端末において、前記送信装置によって、前記信頼度リストが更新された場合、この更新後の信頼度リストを取得し、前記信頼度リスト記憶手段に記憶された前記信頼度リストを、この新たな信頼度リストに更新する信頼度リスト更新手段を備えることを特徴とする。
これによれば、受信端末は、最新の状況や番組編成などに適合する信頼度リストに基づいて遷移要求にかかる遷移先の信頼度を判定することが可能となる。
【００２９】
請求項１０に記載の発明は、請求項８または請求項９に記載の受信端末において、前記送信装置によって前記制御ポリシーが更新された場合、この更新後の制御ポリシーを取得し、前記制御ポリシー記憶手段に記憶された前記制御ポリシーを前記更新後の制御ポリシーに更新する制御ポリシー更新手段を備えることを特徴とする。
【００３０】
請求項１０に記載の発明によれば、受信端末は、最新の放送局の意図に適合した制御ポリシーにしたがって、表示画面の画面遷移制御あるいは画面表示制御を行うことが可能となる。
【００３１】
請求項１１に記載の発明は、送信装置から送信されたストリームを受信し、このストリームに含まれるデータ放送コンテンツ、あるいは、指示されたアプリケーションを前記ストリームに含まれる映像音声コンテンツと併せて表示画面に表示するとともに、この表示画面に表示されたデータ放送コンテンツやアプリケーションを参照したユーザからの前記表示画面の遷移要求を受け付け、この遷移要求にかかる遷移先の最新の信頼度に応じた制御ポリシーに応じて前記表示画面の遷移制御あるいは画面表示制御を行うために、コンピュータを、遷移要求検知手段、遷移先信頼度判定手段、制御ポリシー判定手段、データ取得手段、表示手段、として機能させることを特徴とする。
【００３２】
請求項１１に記載の発明によれば、受信プログラムは、受信端末の遷移先信頼度判定手段によって、送信装置で生成された、遷移先毎の信頼度の一覧である信頼度リストを記憶する信頼度リスト記憶手段を参照し、遷移要求検知手段で検知された遷移要求にかかる遷移先の最新の信頼度を判定する。
また、受信プログラムは、受信端末の制御ポリシー判定手段によって、送信装置で生成された、遷移先の信頼度に応じた画面遷移あるいは画面表示の条件を定める制御ポリシーを遷移先の信頼度と結び付けて記憶する制御ポリシー記憶手段を参照し、遷移先信頼度判定手段で判定された遷移先の信頼度と結びついた制御ポリシーを解釈する。
またさらに、受信プログラムは、受信端末の制御ポリシー判定手段により、制御ポリシーで、遷移先のコンテンツの表示が許可されていると解釈された場合、受信端末のデータ取得手段によって、遷移先から該当コンテンツを取得する。
そして、受信プログラムは、受信端末の表示手段によって、データ取得手段で取得されたコンテンツに含まれるコンテンツ記述言語を解釈すると共に、制御ポリシーで規定された表示条件にしたがった表示用データを生成し、表示画面に表示する。
【発明の効果】
【００３３】
請求項１および請求項４に記載の発明によれば、信頼できる遷移先を予め限定したり、映像音声コンテンツに併せて固定したりすることなく、番組編成や時間に応じて、時々刻々変化しうる遷移先の信頼度に合わせて、放送局の意図に適合した適切な画面遷移制御あるいは画面表示制御を行うことが可能となる。
請求項２に記載の発明によれば、受信端末は、最新の放送局の意図に適合した画面遷移制御あるいは画面表示制御を行うことが可能となる。
請求項３に記載の発明によれば、受信端末は、最新の遷移先と同じ遷移先内での遷移要求が続く場合には、信頼度判定装置に遷移先信頼度問い合わせを行わなくても、信頼された遷移先として適切な画面遷移制御あるいは画面表示制御を行うことが可能となるので、通信トラフィックの負荷を軽減することが可能となる。
請求項５および請求項６に記載の発明によれば、信頼度リストを頻繁に更新しても、受信端末からの遷移先信頼度問い合わせに対して、最新の信頼度リストに基づいて信頼度を正確に判定して応答することが可能となる。
請求項７に記載の発明によれば、受信端末は、頻繁に更新される遷移要求にかかる遷移先の信頼度をその都度問い合わせ、信頼度判定装置は、最新の信頼度リストに基づいて信頼度を判定して応答するため、遷移要求にかかる遷移先の現時点での信頼度を正確に判定することができる。また、遷移先の信頼度の判定と信頼度に対応する制御ポリシーの判定を２段階に分けて行うことにより、変更の頻度が低い制御ポリシーの更新と、変更の頻度が高い遷移先の信頼度の更新とを異なる方法やタイミングで行うことが可能となる。
請求項８および請求項１１に記載の発明によれば、受信端末は、最新の状況や番組編成などに適合する信頼度リストに基づいて遷移要求にかかる遷移先の信頼度を判定し、この信頼度に応じた制御ポリシーにしたがって、放送局の意図に適合した画面遷移制御あるいは画面表示制御を行うことが可能となる。
請求項９に記載の発明によれば、受信端末は、最新の状況や番組編成などに適合する信頼度リストに基づいて遷移要求にかかる遷移先の信頼度を判定することが可能となる。
請求項１０に記載の発明によれば、受信端末は、最新の放送局の意図に適合した制御ポリシーにしたがって、画面遷移制御あるいは画面表示制御を行うことが可能となる。
【図面の簡単な説明】
【００３４】
【図１】本発明の第１および第２実施形態に係る信頼度判定システムの構成を示すシステム構成図である。
【図２】本発明の第１実施形態に係る受信端末の構成を示すブロック構成図である。
【図３】本発明の第１実施形態に係る受信端末の制御ポリシー記憶手段に記憶される制御ポリシーの一例を示す図である。
【図４】本発明の第１実施形態に係る受信端末の表示手段によって、表示画面に表示されるコンテンツの一例を示す図である。
【図５】本発明の第１実施形態に係る信頼度判定装置の構成を示すブロック構成図である。
【図６】本発明の第１実施形態に係る信頼度判定装置の信頼度リスト記憶手段に記憶される信頼度リストの一例を示す図である。
【図７】本発明の第１実施形態に係る信頼度判定システムにおける処理の流れを示すフローチャートである。
【図８】本発明の第１実施形態に係る信頼度判定システムにおける制御ポリシー更新処理の流れを示すフローチャートである。
【図９】本発明の第２実施形態に係る受信端末の構成を示すブロック構成図である。
【図１０】本発明の第２実施形態に係る信頼度判定システムの処理の流れを示すフローチャートである。
【図１１】本発明の第３実施形態に係る信頼度判定システムの構成を示すシステム構成図である。
【図１２】本発明の第３実施形態に係る受信端末の構成を示すブロック構成図である。
【図１３】本発明の第３実施形態に係る信頼度判定システムにおける受信端末の処理の流れを示すフローチャートである。
【図１４】本発明の第３実施形態に係る信頼度判定システムにおける受信端末の信頼度リスト更新処理の流れを示すフローチャートである。
【発明を実施するための形態】
【００３５】
以下、本発明の実施形態について図面を参照して説明する。
＜第１実施形態＞
［信頼度判定システムの構成］
まず、図１を参照して、本発明の第１実施形態に係る信頼度判定システムの構成について説明する。
【００３６】
信頼度判定システムＳは、ユーザから受信端末に対し外部の通信コンテンツへの遷移要求がなされた際に、受信端末１から信頼度判定装置２に、この遷移先の遷移先信頼度問い合わせを送信し、信頼度判定装置２は、この遷移先の信頼度を信頼度リストに基づいて判定して応答し、受信端末１は、信頼度判定装置２で判定された遷移先の信頼度に応じて予め規定された制御ポリシーにしたがって、ユーザが参照する画面の遷移制御あるいは画面表示制御を行うシステムである。
ここでは、信頼度判定システムＳは、受信端末１と、信頼度判定装置２と、１つ以上のサービス提供装置３を含むサービス提供装置群と、放送局４が備える通信装置４１と、をネットワークＮを介して接続して構成している。なおさらに、放送局４が備える放送送信装置４２と、制御ポリシー生成装置４３と、がネットワークＮを介して接続されていてもよい。
【００３７】
受信端末１は、ユーザが、ネットワークＮを介して、サービス提供装置３からサービスの提供を受ける装置である。この受信端末１は、例えば、パーソナルコンピュータ、テレビ受像機、携帯端末、専用端末など、放送局４から提供される放送コンテンツを受信して表示できるとともに、指示されたデータコンテンツ（ＢＭＬ（Broadcast Markup Language）コンテンツやＨＴＭＬ（HyperText Markup Language）コンテンツなど）やアプリケーション（ＡＲＩＢ  ＳＴＤ−Ｂ２３に規定されるＪａｖａ（登録商標）アプリケーションなど）を実行して表示可能なブラウザやアプリケーション実行環境を備え、かつ、ネットワークを介して提供されるサービスの提供を受ける機器であれば特に限定するものではない。
ここで、放送コンテンツとは、映像情報及び音声情報をＭＰＥＧ−２（Moving Picture Expert Group-2）や、Ｈ．２６４／ＡＶＣ符号化により符号化したものをいう。また、データコンテンツとは、ＢＭＬで記述されたコンテンツや、ＨＴＭＬ５（HyperText Markup Language 5）で記述されたコンテンツである。また、アプリケーションとは、Ｊａｖａ言語などで記述されたアプリケーションである。
また、この受信端末１は、ユーザによる遷移要求を受け付ける機能を有しており、遷移要求を受け付けると、信頼度判定装置２に対し、遷移要求にかかる遷移先の信頼度を問い合わせる遷移先信頼度問い合わせを送信する。
【００３８】
信頼度判定装置２は、受信端末１から遷移先信頼度問い合わせを受信し、この遷移先信頼度問い合わせに含まれる遷移先の信頼度を判定し、判定結果を受信端末１に送信するものである。
【００３９】
サービス提供装置３は、ユーザに対してサービスを提供するものである。なお、このサービス提供装置３が提供するサービスは、一般的なサービスであって特に限定するものではない。例えば、マルチメディアコンテンツ（動画・音楽）配信サービスなどである。このコンテンツは、ＢＭＬやＨＴＭＬなどにより記述されていてもよく、その記述言語は特に問わない。
【００４０】
放送局４は、放送波を介してストリームを受信端末１に送信し、さらに、放送波あるいはネットワークＮを介して、遷移要求にかかる遷移先の信頼度に応じた受信端末１の画面遷移あるいは画面表示についての動作を規定する制御ポリシーを受信端末１に送信するものである。
放送局４には、ここでは、図１に示すように、通信装置４１と、放送送信装置４２と、制御ポリシー生成装置４３と、が備えられている。
【００４１】
通信装置４１は、通信先の端末（受信端末１）との間で、ＴＣＰ／ＩＰなどのプロトコルで通信を行うものである。この通信装置４１は、例えば、ＮＩＣ（Network Interface Card）で実現することができる。
【００４２】
放送送信装置４２は、映像信号と、音声信号と、データ信号とを多重化したトランスポートストリームを生成し、このストリームを受信端末１に送信するものである。例えば、放送送信装置４２は、ＭＰＥＧ−２  ＴＳ（Moving Picture Expert Group-2 Transport Stream）形式で、これらの信号を多重化してストリームを生成する。放送送信装置４２は、このストリームを、送信アンテナ（図示せず）により放送波を介して受信端末１に送信する。
【００４３】
制御ポリシー生成装置４３は、遷移要求にかかる遷移先の信頼度に応じた受信端末１の画面遷移あるいは画面表示についての動作を規定する制御ポリシーを生成するものである。制御ポリシーの詳しい内容については、後記する。また、この制御ポリシー生成装置４３は、更新要求に応じて、あるいは、予め定めた更新タイミングで新しい制御ポリシーを生成するようになっている。この更新要求は、例えば、図示しない入力手段等を介して外部から入力される。
【００４４】
制御ポリシー生成装置４３は、制御ポリシーを更新したときは、この更新後の制御ポリシーを、Ｐｕｓｈ型で受信端末１に送信してもよいし、更新後の制御ポリシーを取得するためのトリガを受信端末１に与えて、受信端末１からの要求に応じてＰｕｌｌ型で送信してもよい。
【００４５】
制御ポリシー生成装置４３は、更新後の制御ポリシーをＰｕｌｌ型で送信する場合、データ放送信号に制御ポリシーの更新を通知するイベント信号を多重化したストリームを生成し、このストリームを、放送送信装置４２を介して受信端末１に送信する。この更新イベントには、更新後の制御ポリシーの取得方法（放送あるいは通信の別）、および、取得方法が放送の場合は、更新後の制御ポリシーのパケットを格納するパケット識別子、一方、取得方法が通信の場合は、更新後の制御ポリシーの取得先である指定先ＵＲＩが含まれる。
【００４６】
以下、本実施形態に係る受信端末１および信頼度判定装置２について詳細に説明する。
【００４７】
［受信端末の構成］
まず、図２を参照（適宜、図１を参照）して受信端末１の構成について説明する。ここでは、受信端末１は、問い合わせ先記憶手段１１１と、制御ポリシー記憶手段１１２と、制御手段１１３と、受信手段１１４と、分離手段１１５と、映像信号復号手段１１６と、データ取得手段１１７と、遷移要求検知手段１１８と、遷移先信頼度問い合わせ手段１１９と、信頼度受信手段１２０と、制御ポリシー判定手段１２１と、制御ポリシー更新手段１２２と、表示手段１２３と、通信手段１２４と、を備えている。また、受信端末１は、データコンテンツを表示再生可能なブラウザやアプリケーション実行環境を備え、放送局から提供される映像や音声などのコンテンツと併せて、サービス提供装置３から提供されるデータコンテンツやアプリケーションも同時に、表示画面Ｄに表示することが可能である。
【００４８】
問い合わせ先記憶手段１１１は、遷移先の信頼度の問い合わせ先である信頼度判定装置２を特定する情報を予め記憶しておくものである。問い合わせ先記憶手段１１１は、例えば、信頼度判定装置２のアドレスを問い合わせ先として記憶しておく。問い合わせ先記憶手段１１１に記憶された問い合わせ先は、後記する遷移先信頼度問い合わせ手段１１９によって適宜読み出される。
【００４９】
制御ポリシー記憶手段１１２は、遷移要求にかかる遷移先の信頼度に応じた受信端末１の画面遷移あるいは画面表示についての動作を規定する制御ポリシーを記憶するものである。
ここで、図３を参照して、制御ポリシー記憶手段１１２に記憶される制御ポリシーの一例について説明する。
図３に示す制御ポリシーは、遷移先の信頼度に応じて、受信端末１において遷移先のコンテンツの表示を許可する場合、表示を許可しない場合、条件付きで表示を許可する場合に分けて規定している。つまり、図３では、＜Target TargetID=“Level2”＞（遷移先の信頼度が“２”の場合）：＜Permit＞（表示許可）、＜Target TargetID=“Level1”＞（遷移先の信頼度が“１”の場合）：＜Conditional Permit＞(条件付き表示許可)、＜Target TargetID=“Level0”＞（遷移先の信頼度が“０”の場合）：＜Deny＞（表示不許可）、を意味している。
【００５０】
ここで、条件付き表示許可の場合の「条件」とは、様々に規定することができるが、遷移先コンテンツの表示形式、表示時間、表示画面Ｄに占める大きさや位置の指定や、遷移先コンテンツと併せてメッセージを表示すること等が一例として挙げられる。
具体的には、遷移先の信頼度が“１”の場合、「放送番組と別画面で表示する」という条件や、「遷移先のコンテンツを表示するときに、遷移先のコンテンツは放送番組と無関係であることを示すメッセージを表示画面に表示する」という条件を満たすならば遷移先のコンテンツの表示を許可する、などと規定することができる。
この制御ポリシーは、後記する制御ポリシー判定手段１２１によって、適宜読み出されて解釈される。またこの制御ポリシーは後記する制御ポリシー更新手段１２２によって、適宜更新される。
【００５１】
これらの記憶手段は、例えば、外部から読み取りや書き込みが可能な磁気ディスクや不揮発性メモリなどの記憶媒体で実現することができる。また、これらの記憶手段は、それぞれ個別の記憶媒体として構成してもよいし、１つの記憶媒体で異なる記憶領域に記憶する構成としてもよい。
【００５２】
制御手段１１３は、受信端末１の動作を制御して、表示画面Ｄの遷移制御あるいは表示制御を行うものである。以下、制御手段１１３の機能について具体的に説明する。
【００５３】
≪遷移要求処理≫
制御手段１１３は、ユーザからのボタン押下（図示しない）などの入力手段を介して外部のコンテンツへの遷移要求の入力を受け付け、この外部のコンテンツへの遷移要求を遷移要求検知手段１１８に出力してユーザから遷移要求があったことを通知する。
【００５４】
≪画面遷移制御≫
制御手段１１３は、後記する制御ポリシー判定手段１２１から遷移要求にかかる遷移先の信頼度に応じた制御ポリシーの解釈結果の入力を受け付け、この解釈結果にしたがって画面遷移制御を行う。制御手段１１３は、この制御ポリシーによって遷移先のコンテンツの表示が許可されている場合、あるいは、条件付きで許可されている場合、データ取得手段１１７に遷移先ドメインを出力して、遷移先ドメイン上の該当コンテンツを取得させる。
【００５５】
≪画面表示制御≫
制御手段１１３は、制御ポリシー判定手段１２１から遷移要求にかかる遷移先の信頼度に応じた制御ポリシーの解釈結果の入力を受け付け、この解釈結果にしたがって、画面表示制御を行う。
制御手段１１３は、表示手段１２３に表示画面Ｄに表示するデータを生成させ、制御信号で定めるタイミング等にしたがって、生成したデータを表示画面Ｄに出力させる。
また、制御手段１１３は、制御ポリシー判定手段１２１から入力された制御ポリシーの解釈結果が、遷移先のコンテンツの表示が許可されていないことを示すものであった場合、表示手段１２３に、遷移要求にかかる遷移先のコンテンツの表示が許可されていないことを示すメッセージを表示画面Ｄに出力するように指示する。
【００５６】
受信手段１１４は、放送送信装置４２から送信された放送信号を受信するものである。この放送信号は、前記したように、データ放送コンテンツの映像信号、音声信号およびデータ放送コンテンツ（ＢＭＬコンテンツ）などが多重化されたものである。また、この放送信号は、分離手段１１５に出力される。
【００５７】
分離手段１１５は、受信手段１１４で受信したストリームを映像信号と、音声信号と、データ信号とに分離するものである。分離手段１１５は、ストリームから分離した映像信号を映像信号復号手段１１６に出力し、また、ストリームから分離した音声信号を図示しない音声信号復号手段に出力し、またさらに、ストリームから分離したデータ放送コンテンツをデータ取得手段１１７に出力する。なお、ストリームから分離された音声信号は、図示しない音声信号復号手段によって元の音声信号に復号され、図示しない音声信号再生手段によって、映像信号復号手段１１６で復号された映像信号と同期再生される。
【００５８】
映像信号復号手段１１６は、分離手段１１５で分離された映像信号を元の映像信号に復号することができる。映像信号復号手段１１６は、適宜公知の復号方式を用いて映像信号を復号する。このようにして復号された映像信号は、表示手段１２３に出力される。
【００５９】
データ取得手段１１７は、分離手段１１５によって、放送信号から分離されたデータ放送コンテンツを取得するものである。また、データ取得手段１１７は、後記する制御ポリシー判定手段１２１により、ユーザの遷移要求にかかる遷移先の信頼度に対応する制御ポリシーを解釈した結果、遷移先のコンテンツの表示が許可されている場合、あるいは、条件付きで表示が許可されている場合、制御手段１１３の指示により、その遷移先ドメイン上の該当コンテンツを取得するものである。これらのコンテンツは、表示手段１２３に出力される。
【００６０】
遷移要求検知手段１１８は、図示しない入力手段を介してユーザから入力された遷移要求を検知し、例えばＨＴＴＰプロトコル（Hypertext Transfer Protocol）を用いた通信が発生する場合、ＧＥＴメソッドを用いたリクエスト電文の有無などを確認することで、検知を行うものである。入力手段は、例えば、リモコンやマウスなどの入力インタフェースである。
【００６１】
ここで、図４を参照して、ユーザが遷移要求を指示する際の表示画面Ｄの一例を説明する。
例えば、図４に示すように、表示画面Ｄに、放送映像と、コンテンツの選択ボタン（ボタン１〜４）と、「○○サービスへ」という外部サービスへの遷移ボタンと、を含むデータ放送コンテンツが表示されている場合、ユーザは、リモコンやマウス等の入力手段を利用して表示画面Ｄ上でカーソル移動をさせ、「○○サービスへ」というボタンにカーソルを合わせた状態で、リモコンの決定ボタンを押し下げたり、マウスを左クリックしたりすることによって、「○○サービスへ」というボタンを選択することができる。このユーザによる操作入力は、制御手段１１３によって受信されるようになっている。
また、このコンテンツでは、「○○サービスへ」というボタンの押下操作に対して、特定のインターネットサービスやコンテンツのＵＲＩなどのリンク先（遷移先ドメイン）に遷移するような動作が記述されている。
【００６２】
そして、表示画面Ｄに表示されたデータ放送コンテンツを参照したユーザによるリモコンの決定ボタン押し下げ等により「○○サービスへ」というボタンが選択されると、制御手段１１３は、この操作入力をトリガとして、ユーザによる遷移要求があったことを遷移要求検知手段１１８に通知する。
そして、遷移要求検知手段１１８は、制御手段１１３からこの通知を受け付けると、ユーザの遷移要求から、遷移要求にかかる遷移先を特定する情報（遷移先情報、ここでは、遷移先ドメイン）を抽出し、この遷移先ドメインを遷移先信頼度問い合わせ手段１１９に出力する。
【００６３】
遷移先信頼度問い合わせ手段１１９は、遷移要求検知手段１１８から遷移要求にかかる遷移先ドメインの入力を受け付け、この遷移先ドメインの信頼度を問い合わせる遷移先信頼度問い合わせを信頼度判定装置２に送信するものである。
遷移先信頼度問い合わせ手段１１９は、遷移先ドメインの入力を受け付けると、問い合わせ先記憶手段１１１から遷移先の信頼度の問い合わせ先を読み出し、この問い合わせ先にかかる信頼度判定装置２宛に、遷移先ドメインを含む遷移先信頼度問い合わせを送信する。
【００６４】
信頼度受信手段１２０は、遷移先信頼度問い合わせ手段１１９によって信頼度判定装置２に送信された遷移先信頼度問い合わせに対する応答として、この信頼度判定装置２から遷移先の信頼度の判定結果を受信するものである。この遷移先の信頼度は、制御ポリシー判定手段１２１に出力される。
【００６５】
制御ポリシー判定手段１２１は、信頼度受信手段１２０から出力された遷移先信頼度問い合わせに対応する遷移先の信頼度の入力を受け付けるとともに制御ポリシー記憶手段１１２を参照し、この信頼度に対応する制御ポリシーを解釈するものである。例えば、制御ポリシー記憶手段１１２に、図３に示したような制御ポリシーが記憶されている場合であって、遷移先信頼度問い合わせに対応する信頼度が“２”の場合、制御ポリシー判定手段１２１は、放送事業者によって、遷移先のコンテンツの参照が許可されていると解釈する。この制御ポリシーの解釈結果は、制御手段１１３に出力される。
【００６６】
制御ポリシー更新手段１２２は、制御ポリシー生成装置４３で生成された更新後の制御ポリシーを取得し、制御ポリシー記憶手段１１２に記憶された制御ポリシーをこの更新後の制御ポリシーに書き換えて更新するものである。
【００６７】
制御ポリシー更新手段１２２は、制御ポリシー生成装置４３で生成され、通信装置４１あるいは放送送信装置４２を介してＰｕｓｈ型で送信された更新後の制御ポリシーを取得してもよいし、あるいは、放送波を介して更新のためのトリガを与えられた場合、更新後の制御ポリシーをＰｕｌｌ型で取得してもよい。そして、制御ポリシー更新手段１２２は、制御ポリシー記憶手段１１２に記憶された制御ポリシーをこの更新後の制御ポリシーに書き換えて更新する。
【００６８】
表示手段１２３は、データ取得手段１１７を介して放送送信装置４２またはサービス提供装置３から送信または取得されたコンテンツを入力し、このコンテンツに含まれるコンテンツ記述言語（例えば、ＢＭＬコンテンツのＢＭＬやＨＴＭＬコンテンツのＨＴＭＬ）を解釈して、このコンテンツ記述言語で規定された、表示画面Ｄにおけるコンテンツの配置スタイルや大きさ等の制御情報にしたがって配置スタイルや大きさ等を変更し、このコンテンツと映像信号復号手段１１６で復号された映像信号とを併せた表示用データを生成し、表示画面Ｄに出力するものである。このとき、表示手段１２３は、制御手段１１３から制御信号の入力を受け付け、この制御信号で定めるタイミング等にしたがって、表示画面Ｄにデータを出力する。
【００６９】
また、表示手段１２３は、制御手段１１３から、制御ポリシー判定手段１２１による制御ポリシーの解釈結果に応じた画面表示制御についての制御信号の入力を受け付けると、その制御信号にしたがって、表示画面Ｄに表示する表示用データを生成あるいは出力する機能を有する。
【００７０】
例えば、制御ポリシー判定手段１２１から制御手段１１３に、制御ポリシーによって遷移要求にかかる遷移先のコンテンツの表示が許可されていないという解釈結果が出力された場合、制御手段１１３から表示手段１２３に、表示画面Ｄに遷移先のコンテンツの表示が許可されていないことを示すメッセージを表示するように指示する制御信号が出力される。表示手段１２３は、この制御信号の入力を受け付けると、例えば、「このコンテンツの表示は管理者によって許可されていません」や「このコンテンツを表示（あるいは取得）できません」等のメッセージを表示画面Ｄに表示する。このメッセージは、例えば、表示手段１２３が制御手段１１３から前記した制御信号が入力される都度生成してもよいし、また例えば、図示しない記憶手段に予め記憶しておき、制御手段１１３から前記した制御信号が入力されたときに表示手段１２３が図示しない記憶手段から読み出すようにしてもよい。
【００７１】
また例えば、制御ポリシー判定手段１２１から制御手段１１３に、制御ポリシーによって「放送画面と別画面で表示する」という条件付きで、遷移要求にかかる遷移先のコンテンツの表示が許可されているという解釈結果が出力された場合、制御手段１１３から表示手段１２３に、表示画面Ｄにおける放送映像の画面を縮小するように指示する制御信号が出力される。
表示手段１２３は、この制御信号の入力を受け付けると、放送映像の画面を縮小し、空いたスペースにデータ取得手段１１７で取得されたコンテンツを埋め込んだ表示用データを生成し、表示画面Ｄに出力する。
【００７２】
通信手段１２４は、通信先の端末（信頼度判定装置２、サービス提供装置３、放送局４）との間で、ＴＣＰ／ＩＰなどのプロトコルで通信を行うものである。この通信手段は、例えば、ＮＩＣ（Network Interface Card）で実現することができる。
【００７３】
このように構成することで、受信端末１は、ユーザから遷移要求が入力されると、遷移要求にかかる遷移先について、信頼度判定装置２に遷移先信頼度問い合わせを行い、信頼度判定装置２による判定結果である遷移先の信頼度に応じた制御ポリシーを判定し、この制御ポリシーにしたがって、画面遷移制御あるいは画面表示制御を行うことができる。
【００７４】
［信頼度判定装置の構成］
次に、図５を参照（適宜、図１を参照）して、信頼度判定装置２の構成について説明する。ここでは、信頼度判定装置２は、通信手段２１１と、信頼度リスト生成手段２１２と、信頼度リスト記憶手段２１３と、信頼度判定手段２１４と、を備えている。
【００７５】
通信手段２１１は、通信先の端末（受信端末１）との間で、ＴＣＰ／ＩＰなどのプロトコルで通信を行うものである。この通信手段は、例えば、ＮＩＣ（Network Interface Card）で実現することができる。
ここでは、通信手段２１１は、特に、受信端末１から遷移先信頼度問い合わせを受信してこれを信頼度判定手段２１４に出力し、また、信頼度判定手段２１４から判定結果として信頼度を受け取ると、この信頼度を遷移先信頼度問い合わせに対する応答として受信端末１に送信する信頼度送信手段として機能する。
【００７６】
信頼度リスト生成手段２１２は、放送事業者が予めピックアップした遷移先とその遷移先についての信頼度とを対応付けた信頼度リストを生成するものである。信頼度リスト生成手段２１２は、図示しない入力手段等を介して、遷移先を特定する遷移先情報およびこの遷移先情報に対する信頼度の入力を受け付けると、この遷移先情報と信頼度とを対応付けたテーブルを生成する。この遷移先情報は、例えば、遷移先ドメインであってもよいし、遷移先ＵＲＬであってもよい。このようにして生成された信頼度リストは、信頼度リスト記憶手段２１３に記憶される。
【００７７】
ここで、図６を参照（適宜、図１参照）して、信頼度リスト生成手段２１２で生成され、信頼度リスト記憶手段２１３に記憶された信頼度リストの一例について説明する。図６では、遷移先を特定する遷移先情報を遷移先ドメイン（図６に示す「ＡＡＡ．ｎｅｔ」等）とし、この遷移先ドメインと信頼度とを対応付けたテーブルを信頼度リストとして記憶している。また、図６では、信頼度を、“２”、“１”、“０”で表しており、数が大きいほど信頼度が高く、数が小さいほど信頼度が低いことを示している。図６では、信頼度が異なる遷移先ドメインが同じリストに記載されているが、例えば、信頼度リスト生成手段２１２は、信頼できる遷移先ドメインの信頼度リスト（ホワイトリスト）と信頼できない遷移先ドメインの信頼度リスト（ブラックリスト）とをそれぞれ生成し、ホワイトリストに含まれる遷移先ドメインの信頼度を“１”とし、ブラックリストに含まれるン遷移先ドメインの信頼度を“０”と規定してもよい。
【００７８】
また、信頼度リスト生成手段２１２は、外部から入力された信頼度リストの更新要求にしたがって、新たな信頼度リストを生成する。例えば、信頼度リスト生成手段２１２は、外部から信頼度リストの更新要求として、遷移先とその遷移先の信頼度との入力を受け付けた場合、信頼度リスト記憶手段２１３を参照し、その遷移先が既に信頼度リストに登録されているか否かを判定し、その遷移先が未登録であると判定した場合、その新たな遷移先と信頼度とを対応付けたテーブルを生成し、信頼度リスト記憶手段２１３に記憶された信頼度リストに追加する。一方、信頼度リスト生成手段２１２は、その遷移先が既登録であると判定した場合、その遷移先の信頼度を、外部から入力された新たな信頼度に書き換えて更新する。このような信頼度リストを、番組内容に応じて効果的に更新するには、幾つかの信頼度リストを用意し、番組編成情報における番組の切り替わりと連動させて更新要求をかけ、自動的に適切な信頼度リストを呼び出すような仕組みを実装してもよい。
【００７９】
信頼度リスト記憶手段２１３は、信頼度リスト生成手段２１２で生成された信頼度リストを記憶するものである。信頼度リスト記憶手段２１３は、前記したように、例えば図６に示したような信頼度リストを記憶する。この信頼度リストは、信頼度判定手段２１４によって適宜読み出される。この信頼度リスト記憶手段２１３は、例えば、外部から読み取りや書き込みが可能な磁気ディスク、光ディスクなどの記憶装置で実現することができる。
【００８０】
信頼度判定手段２１４は、受信端末１の遷移先信頼度問い合わせ手段１１９から送信された遷移先信頼度問い合わせを通信手段２１１を介して受信し、この遷移先信頼度問い合わせに含まれる遷移先情報で特定される遷移先の信頼度を判定するものである。
信頼度判定手段２１４は、信頼度リスト記憶手段２１３に記憶された信頼度リストを参照し、遷移先信頼度問い合わせに含まれる遷移先情報と対応付けて記憶された信頼度を判定する。信頼度判定手段２１４は、例えば、遷移先信頼度問い合わせに、遷移先情報として、「ＡＡＡ．ｎｅｔ」という遷移先ドメインが含まれている場合、図６に示す信頼度リストを参照し、「ＡＡＡ．ｎｅｔ」に対応付けて記憶された信頼度が“２”であると判定する。信頼度判定手段２１４は、遷移先信頼度問い合わせに対する応答として、このようにして判定した遷移先情報で特定される遷移先の信頼度を、通信手段２１１を介して受信端末１に送信する。
【００８１】
このように構成することで、信頼度判定装置２は、受信端末１から送信された遷移先信頼度問い合わせにかかる遷移先の信頼度を信頼度リストに基づいて判定し、判定結果を受信端末１に応答することができる。
【００８２】
＜第１実施形態にかかる信頼度判定システムの動作＞
次に、第１実施形態に係る信頼度判定システムＳの動作について説明する。
まず、ユーザに参照されるコンテンツを生成して表示画面Ｄに表示するときの信頼度判定システムＳの処理の流れについて説明する。
信頼度判定システムＳは、放送送信装置４２によって、受信端末１に映像信号と、音声信号と、データ放送コンテンツ（例えば、ＢＭＬコンテンツなど）とを多重化して生成されたトランスポートストリームを送信し、受信端末１の受信手段１１４によってこのストリームを受信し、分離手段１１５によって、映像信号と、音声信号と、データ放送コンテンツ（例えば、ＢＭＬコンテンツなど）とに分離し、映像信号復号手段１１６によって映像信号を復号し、図示しない音声信号復号手段によって音声信号を復号し、データ取得手段１１７によって、データ放送コンテンツを取得し、表示手段１２３に出力する。
そして、信頼度判定システムＳは、受信端末１の表示手段１２３によって、データ放送コンテンツからコンテンツ記述言語を抽出して解釈し、このコンテンツ記述言語で記述された制御情報にしたがって、このデータ放送コンテンツを表示画面Ｄに出力する。このようにして、第１実施形態に係る信頼度判定システムＳによって、表示画面Ｄにデータが表示される。ここでは、放送ストリーム内に含まれるデータ放送コンテンツの表示をブラウザで行うことを前提に記述したが、放送ストリーム内に含まれる制御信号から指定されたアプリケーションを実行し、表示画面Ｄ上にアプリケーション画面を表示することも考えられる。
【００８３】
次に、図７を参照（適宜、図１〜図６を参照）して、表示画面Ｄに表示されたデータ放送コンテンツを参照したユーザによって、受信端末１に外部サービスへの遷移要求が入力されたときの、信頼度判定システムＳの処理の流れについて説明する。
なおここでは、制御ポリシー生成装置４３で生成した制御ポリシーを、通信装置４１あるいは放送送信装置４２を介してＰｕｓｈ型あるいはＰｕｌｌ型で受信端末１に送信し、受信端末１は、受信手段１１４によってこの制御ポリシーを受信し、制御ポリシー記憶手段１１２に予め格納しているものとする。この制御ポリシーは、制御ポリシー生成装置４３によって、例えば、図示しない入力手段を介して外部から制御ポリシーの更新要求の入力を受け付けたタイミングで更新される。詳しくは後記する。
【００８４】
まず、受信端末１は、制御手段１１３によって、ユーザから図示しない入力手段を介して入力された外部サービスへの遷移要求を受信する（ステップＳ１）。
例えば、表示画面Ｄに、図４に示すようなデータ放送コンテンツと放送映像とが表示されている場合、ユーザによって、「○○サービスへ」というボタンが選択される（外部サービスへの遷移要求）と、受信端末１Ｃは、制御手段１１３によって、この遷移要求の入力を受け付ける。
そして、受信端末１は、制御手段１１３によって、この遷移要求を遷移要求検知手段１１８に通知する。受信端末１は、遷移要求検知手段１１８によって、制御手段１１３から、遷移要求の入力を受け付けると、ユーザから遷移要求があったことを検知し、遷移要求にかかる遷移先ドメインを抽出し、遷移先信頼度問い合わせ手段１１９に、遷移要求にかかる遷移先ドメインを出力する（ステップＳ２）。
さらに、受信端末１は、遷移先信頼度問い合わせ手段１１９によって、問い合わせ先記憶手段１１１から遷移要求にかかる遷移先の信頼度の問い合わせ先となる信頼度判定装置２のアドレスを読み出し、このアドレスで特定される信頼度判定装置２に、遷移要求にかかる遷移先ドメインを含む遷移先信頼度問い合わせを送信する（ステップＳ３）。
【００８５】
続いて、信頼度判定装置２は、通信手段２１１によって、受信端末１から送信された遷移先信頼度問い合わせを受信する（ステップＳ４）。そして、信頼度判定装置２は、この遷移先信頼度問い合わせに含まれる遷移先ドメインを信頼度判定手段２１４に出力する。そして、信頼度判定装置２は、信頼度判定手段２１４によって、信頼度リスト記憶手段２１３を参照し、通信手段２１１から入力された遷移先ドメインに対応付けて記憶された信頼度を判定する。そして、信頼度判定装置２は、信頼度判定手段２１４によって、この判定結果にかかる信頼度を通信手段２１１に出力する（ステップＳ５）。そして、信頼度判定装置２は、通信手段２１１によって、遷移先信頼度問い合わせに対する応答として、この信頼度を受信端末１に送信する（ステップＳ６）。
【００８６】
さらに、受信端末１は、信頼度受信手段１２０によって、遷移先信頼度問い合わせに対する信頼度判定装置２による判定結果である信頼度を受信し、制御ポリシー判定手段１２１にこの判定結果を出力する（ステップＳ７）。
次に、受信端末１は、制御ポリシー判定手段１２１によって、制御ポリシー記憶手段１１２を参照し、遷移先の信頼度に対応する制御ポリシーを解釈する（ステップＳ８）。そして、受信端末１は、制御ポリシー判定手段１２１によって、制御ポリシーにより規定された遷移先のコンテンツの表示許可／条件付き許可／表示不許可の別を解釈した解釈結果を制御手段１１３に出力する（ステップＳ９）。
【００８７】
受信端末１は、ステップＳ９において、制御手段１１３によって、制御ポリシー判定手段１２１から、制御ポリシーにより、遷移先のコンテンツの表示が許可されていると解釈した場合、データ取得手段１１７に、遷移要求にかかる遷移先ドメインを出力し、遷移先からコンテンツを取得するよう指示する制御信号を出力する。続いて、受信端末１は、データ取得手段１１７によって、制御手段１１３から入力された遷移先ドメインで特定される遷移先からコンテンツを取得し、取得した遷移先のコンテンツを表示手段１２３に出力する（ステップＳ１０）。
そして、受信端末１は、表示手段１２３によって、映像信号復号手段１１６から放送コンテンツの入力を受け付けると共に、データ取得手段１１７から遷移先のコンテンツの入力を受け付け、この遷移先のコンテンツからコンテンツ記述言語を抽出して解釈し、コンテンツ記述言語に規定された制御情報にしたがって、この遷移先のコンテンツと放送映像とを合成した表示用データを生成する（ステップＳ１１）。そして、受信端末は、この表示用データを、制御信号によって制御されたタイミングで表示画面Ｄに出力する（ステップＳ１２）。そして、受信端末１は、処理を終了する。
【００８８】
一方、受信端末１は、ステップＳ９において、制御手段１１３によって、制御ポリシー判定手段１２１から、制御ポリシーにより、遷移先のコンテンツの表示が条件付きで許可されているという解釈結果の入力を受け付けた場合、データ取得手段１１７に、遷移要求にかかる遷移先ドメインを出力し、遷移先からコンテンツを取得するよう指示する制御信号を出力する。
これと共に、受信端末１は、制御手段１１３によって、制御ポリシーで規定されたコンテンツを表示するときの条件を解釈し、その解釈結果に基づいて表示手段１２３にそれぞれ指示を出す（ステップＳ１３）。
例えば、制御ポリシーによって、「“放送映像とは関係がないコンテンツを表示しています”というメッセージとあわせて表示する」という条件付きで遷移先のコンテンツの表示が許可されている場合、受信端末１は、制御手段１１３によって、表示手段１２３に、前記メッセージを重ねて表示することを指示する。表示手段１２３が、前記メッセージを含めた幾つかの定型文を予め有している場合には、定型文番号を支持してもよい。また、ここでは、ブラウザ上でデータ放送コンテンツ利用時からの遷移要求を行う場合を例に挙げたが、特定のアプリケーション上でコンテンツの遷移要求を検知した場合には、受信端末１は、制御手段１１３によって、表示手段１２３に、放送画面とコンテンツを表示しているアプリケーションとを別画面で表示可能なように放送画面の大きさを変更し、空いたスペースにコンテンツを表示しているアプリケーションを埋め込んで表示するよう指示する。
【００８９】
続いて、受信端末１は、データ取得手段１１７によって、制御手段１１３から入力された遷移先ドメインで特定される遷移先からコンテンツを取得し、取得した遷移先のコンテンツを表示手段１２３に出力する（ステップＳ１４）。
【００９０】
そして、受信端末１は、表示手段１２３によって、制御手段１１３からコンテンツを表示するための条件の入力を受け付け、映像信号復号手段１１６から放送コンテンツの入力を受け付け、さらに、データ取得手段１１７から遷移先のコンテンツの入力を受け付けて、コンテンツ記述言語を抽出して解釈して、遷移先のコンテンツを、制御手段１１３から指示された条件にしたがって遷移先のコンテンツと放送映像とを合成した表示用データを生成する（ステップＳ１５）。ここでは、制御ポリシーで、「“放送映像とは関係がないコンテンツを表示しています”というメッセージとあわせて表示する」という条件付きでコンテンツの表示が許可されているため、受信端末１は、表示手段１２３によって、表示画面Ｄに制御手段１１３から指示されたメッセージ「“放送映像とは関係がないコンテンツを表示しています”」という表示用データを生成する。
【００９１】
そして、受信端末１は、表示手段１２３によって、制御信号によって制御されたタイミングで放送映像と、データ取得手段１１７で取得したコンテンツと、前記メッセージを含む表示用データを表示画面Ｄに出力する（ステップＳ１６）。
【００９２】
一方、受信端末１は、ステップＳ９において、制御手段１１３によって、制御ポリシー判定手段１２１から、制御ポリシーにより、遷移先のコンテンツの表示が許可されていないという解釈結果の入力を受け付けた場合、表示手段１２３に、表示画面Ｄに遷移先のコンテンツの表示が許可されていないことを示すメッセージを表示するように指示する制御信号を出力する。そして、受信端末１は、表示手段１２３によって、制御手段１１３から入力された制御信号にしたがって、表示画面Ｄに遷移先のコンテンツの表示が許可されていないことを示すメッセージを表示する（ステップＳ１７）。そして、受信端末１は、処理を終了する。
【００９３】
信頼度判定システムＳは、ユーザからの遷移要求に対し、以上のように動作する。
【００９４】
次に、図８を参照（適宜、図１〜図６を参照）して、制御ポリシー生成装置４３によって、制御ポリシーが更新された場合に、受信端末１によって、この更新後の制御ポリシーを取得し、制御ポリシー記憶手段１１２に記憶されている制御ポリシーを更新後の制御ポリシーに書き換えて更新するときの信頼度判定システムＳの処理の流れについて説明する。
【００９５】
制御ポリシー生成装置４３は、制御ポリシーを更新したときは、更新イベントを生成し、放送送信装置４２に出力する（ステップＳ２１）。
放送送信装置４２は、制御ポリシー生成装置４３から更新イベントの入力を受け付けると、データ放送信号に制御ポリシーの更新を通知するイベント信号を多重化したトランスポートストリームを生成し（ステップＳ２２）、このストリームを、放送送信装置４２を介して受信端末１に送信する（ステップＳ２３）。このイベント信号には、更新後の制御ポリシーの取得方法（放送あるいは通信の別）、および、取得方法が放送の場合は、更新後の制御ポリシーのパケットを格納するパケット識別子、一方、取得方法が通信の場合は、更新後の制御ポリシーの取得先である指定先ＵＲＩが含まれる。
【００９６】
受信端末１は、受信手段１１４によって、ストリームを受信し、このストリームを分離手段１１５に出力する（ステップＳ２４）。次に、受信端末１は、分離手段１１５によって、ストリームに含まれる更新イベントを抽出し、制御ポリシー更新手段１２２に出力する（ステップＳ２５）。そして、受信端末１は、制御ポリシー更新手段１２２によって、更新後の制御ポリシーの取得方法を判別する（ステップＳ２６）。
次に、受信端末１は、制御ポリシー更新手段１２２によって、更新後の制御ポリシーの取得方法が放送であると判断した場合は、ステップＳ２７に処理を進める。一方、受信端末１は、制御ポリシー更新手段１２２によって、取得方法が通信であると判断した場合は、ステップＳ２８に処理を進める。
【００９７】
続いて、受信端末１は、ステップＳ２６において、制御ポリシー更新手段１２２によって、更新後の制御ポリシーの取得方法が放送であると判断した場合、放送送信装置４２から放送波を介して送信されたストリームに多重化された更新後の制御ポリシーを取得する。つまり、受信端末１は、制御ポリシー更新手段１２２によって、受信手段１１４によって受信されたストリームを分離手段１１５によって分離して得られたデータから更新イベントによって指定されたパケット識別子のパケットを収集することによって更新後の制御ポリシーを取得する（ステップＳ２７）。そして、受信端末１は、ステップＳ２９に処理を進める。
【００９８】
一方、受信端末１は、ステップＳ２６において、制御ポリシー更新手段１２２によって、更新後の制御ポリシーの取得方法が通信であると判断した場合、通信手段１２４を介して指定先ＵＲＩから更新後の制御ポリシーを取得する（ステップＳ２８）。そして、受信端末１は、制御ポリシー更新手段１２２によって、制御ポリシー記憶手段１１２に記憶された制御ポリシーを、更新後の制御ポリシーに書き換えて更新する（ステップＳ２９）。
【００９９】
以上のようにして、信頼度判定システムＳは動作する。
以上の動作によって、信頼度判定システムＳは、遷移先の信頼度に応じて規定された制御ポリシーにしたがって、表示画面Ｄの画面遷移制御あるいは画面表示制御を行うことができる。
【０１００】
＜第２実施形態＞
［信頼度判定システムの構成］
次に、図１を参照して、本発明の第２実施形態に係る信頼度判定システムの構成について説明する。
信頼度判定システムＳＢは、ユーザから受信端末に対し外部の通信コンテンツへの遷移要求がなされた際に、受信端末１から信頼度判定装置２に、この遷移先の遷移先信頼度問い合わせを送信し、信頼度判定装置２は、この遷移先の信頼度を信頼度リストに基づいて判定して応答し、受信端末は、信頼度判定装置２で判定された遷移先の信頼度に応じて予め規定された制御ポリシーにしたがって、ユーザの表示画面Ｄの遷移制御あるいは画面表示制御を行うシステムである。
【０１０１】
信頼度判定システムＳＢは、受信端末１Ｂにユーザから遷移要求が入力された場合に、遷移要求にかかる遷移先が、受信端末１Ｂの最新の遷移要求にかかる遷移先と同じ場合には、信頼度判定装置２に対し、遷移要求にかかる遷移先の遷移先信頼度問い合わせを行わない点が、信頼度判定システムＳと異なっている。
【０１０２】
従前から、同じ遷移先ドメインの配下に関連するコンテンツが複数準備されている場合などには、リソースのみ変えて関連するコンテンツを取得することは広く行われている。
このような場合、第１実施形態の信頼度判定システムＳでは、まず、ユーザから受信端末１に遷移先のコンテンツの表示要求が入力されると、信頼度判定装置２に、この遷移要求にかかる遷移先ドメインの遷移先信頼度問い合わせを行い、信頼度判定装置２は、その遷移先ドメインの信頼度を判定して、受信端末１に応答する。そして、信頼度判定システムＳは、受信端末１によって、この信頼度に応じた制御ポリシーを判定して、この遷移先のコンテンツの表示が許可されていれば、遷移を行う。また、第１実施形態の信頼度判定システムＳでは、ユーザから同じ遷移先ドメイン内の関連コンテンツの表示要求が続けて入力されると、再び、同じ遷移先ドメインについて信頼度を判定する。
【０１０３】
しかし、例えば信頼度判定装置２により、最新の遷移要求にかかる遷移先ドメインの信頼度が判定された結果、遷移先のコンテンツの表示が許可された場合、その遷移先ドメインについては、信頼性が担保されていると考えることができる。特に短時間に同じ遷移先ドメイン内でコンテンツの表示要求が続いた場合には、その遷移先ドメインの信頼度は変わっていないと考えることができるので、その遷移先ドメインは信頼できるものとみなすことができる。
【０１０４】
そこで、第２実施形態に係る信頼度判定システムＳＢでは、最新の遷移先ドメインを一時的にキャッシュしておき、この最新の遷移先ドメイン内でコンテンツの表示要求が続いた場合、その遷移先ドメインについての信頼度判定装置２への遷移先信頼度問い合わせを省略することとした。
【０１０５】
このような信頼度判定システムＳＢは、受信端末１Ｂと、信頼度判定装置２と、１つ以上のサービス提供装置３を含むサービス提供装置群と、放送局４が備える通信装置４１と、をネットワークＮを介して接続して構成している。なお、さらに放送局４が備える放送送信装置４２と、制御ポリシー生成装置４３と、がネットワークＮを介して接続されていてもよい。
【０１０６】
受信端末１Ｂは、ユーザが、ネットワークＮを介して、サービス提供装置３からサービスの提供を受ける装置である。受信端末１Ｂは、基本的には、図２で説明した受信端末１と同様の機能を有する。しかし、受信端末１Ｂは、最新の遷移要求にかかる遷移先を一時的にキャッシュしておき、ユーザの遷移要求にかかる遷移先がこの最新の遷移要求にかかる遷移先と同じである場合には、信頼度判定装置２に遷移先信頼度問い合わせを行わない点が、図２で説明した受信端末１と異なっている。
信頼度判定装置２と、サービス提供装置３と、放送局４は、図２で説明したものと同一であるため、説明を省略する。
【０１０７】
［受信端末の構成］
次に、図９を参照（適宜、図１を参照）して、受信端末１Ｂの構成について説明する。
受信端末１Ｂは、ここでは、問い合わせ先記憶手段１１１と、制御ポリシー記憶手段１１２と、制御手段１１３と、受信手段１１４と、分離手段１１５と、映像信号復号手段１１６と、データ取得手段１１７と、遷移要求検知手段１１８と、遷移先信頼度問い合わせ手段１１９と、信頼度受信手段１２０と、制御ポリシー判定手段１２１と、制御ポリシー更新手段１２２と、表示手段１２３と、通信手段１２４と、最新遷移先記憶手段１２５と、問い合わせ要否判定手段１２６と、を備えている。
受信端末１Ｂにおいて、最新遷移先記憶手段１２５と問い合わせ要否判定手段１２６以外の構成は、図２で説明した受信端末１の構成と同一であるため、説明を省略する。
【０１０８】
最新遷移先記憶手段１２５は、最新の遷移要求にかかる遷移先を特定する遷移先情報（例えば、遷移先ドメイン）と、この最新の遷移要求にかかる遷移先について、信頼度判定装置２で判定された信頼度と、の対応付けを一時的に記憶するものである。
この最新遷移先記憶手段１２５は、例えば、外部から読み取りや書き込みが可能な磁気ディスクや不揮発性メモリなどの記憶媒体で実現することができる。
【０１０９】
問い合わせ要否判定手段１２６は、遷移要求検知手段１１８からユーザによる遷移要求にかかる遷移先情報（ここでは、遷移先ドメインとする）の入力を受け付け、この遷移先情報で特定される遷移先について、信頼度判定装置２への遷移先信頼度問い合わせの要否を判定するものである。
【０１１０】
問い合わせ要否判定手段１２６は、遷移要求検知手段１１８からユーザによる遷移要求にかかる遷移先情報（ここでは、遷移先ドメインとする）の入力を受け付けると、最新遷移先記憶手段１２５を参照して、ユーザによる遷移要求にかかる遷移先ドメインが最新遷移先記憶手段１２５に記憶された遷移先ドメインと同じであるか否かを検索し、遷移要求にかかる遷移先ドメインが最新遷移先記憶手段１２５に記憶された遷移先ドメインと同じである場合、信頼度の問い合わせが不要であると判定し、この遷移先ドメインに対応付けて記憶された信頼度を読み出して制御ポリシー判定手段１２１に出力する。一方、問い合わせ要否判定手段１２６は、遷移要求にかかる遷移先ドメインが最新遷移先記憶手段１２５に記憶された遷移先ドメインと異なる場合、信頼度の問い合わせが必要であると判定し、遷移要求にかかる遷移先ドメインを遷移先信頼度問い合わせ手段１１９に出力する。
【０１１１】
このように構成することで、受信端末１Ｂは、ユーザからの遷移要求にかかる遷移先ドメインが最新遷移先記憶手段１２５に記憶された最新の遷移要求にかかる遷移先ドメインと同じか否かに応じて、ユーザからの遷移要求にかかる遷移先についての遷移先信頼度問い合わせの要否を判定することができる。
【０１１２】
［信頼度判定システムの動作］
次に、図１０を参照（適宜、図１および図９を参照）して、本発明の第２実施形態に係る信頼度判定システムＳＢの動作について説明する。ここでは主に、表示画面Ｄに表示されたコンテンツを参照したユーザによって、受信端末１Ｂに外部サービスへの遷移要求が入力されたときの信頼度判定システムＳＢの処理の流れについて説明する。
ここでは、表示画面Ｄに、第１実施形態において説明したのと同様の方法で生成された、例えば、図４に示したようなコンテンツが予め表示されているものとする。
またここでは、第１実施形態において説明したのと同様に、受信端末１Ｂの制御ポリシー記憶手段１１２には、例えば図３に示したような制御ポリシーが予め記憶されているものとする。
【０１１３】
まず、受信端末１Ｂは、制御手段１１３によって、ユーザから図示しない入力手段を介して入力された外部サービスへの遷移要求を受け付ける（ステップＳ３１）。
ここでは、表示画面Ｄに、図４に示すようなデータ放送コンテンツと放送映像とが表示されているので、ユーザによって、「○○サービスへ」というボタンが選択される（外部サービスへの遷移要求）と、受信端末１Ｃは、制御手段１１３によって、この遷移要求の入力を受け付ける。
そして、受信端末１Ｂは、この遷移要求を遷移要求検知手段１１８に通知する。
受信端末１Ｂは、遷移要求検知手段１１８によって、制御手段１１３から、遷移要求の入力を受け付けると、ユーザから遷移要求があったことを検知し、この遷移要求から遷移要求にかかる遷移先を特定する遷移先情報（ここでは、遷移先ドメイン）を抽出して、問い合わせ要否判定手段１２６に出力する（ステップＳ３２）。
【０１１４】
続いて、受信端末１Ｂは、問い合わせ要否判定手段１２６によって、遷移要求にかかる遷移先ドメインが、最新遷移先記憶手段１２５に記憶された最新の遷移先ドメインと同じか否かを判定する（ステップＳ３３）。そして、受信端末１Ｂは、問い合わせ要否判定手段１２６によって、遷移要求にかかる遷移先ドメインが最新の遷移先ドメインと同じであると判定した場合（ステップＳ３３でＹｅｓ）、遷移要求にかかる遷移先についての信頼度判定装置２への遷移先信頼度問い合わせは不要であると判断し、最新遷移先記憶手段１２５から、最新の遷移先ドメインと対応付けて記憶された信頼度を読み出して、制御ポリシー判定手段１２１に出力する（ステップＳ３４）。そして、受信端末１Ｂは、ステップＳ４１に処理を進める。ステップＳ４１以降の処理は、図７において説明したステップＳ８以降の処理と同様であるので、説明を省略する。
【０１１５】
一方、受信端末１Ｂは、問い合わせ要否判定手段１２６によって、遷移要求にかかる遷移先ドメインが最新の遷移先ドメインと同じではないと判定した場合（ステップＳ３３でＮｏ）、遷移要求にかかる遷移先についての信頼度判定装置２への遷移先信頼度問い合わせが必要であると判断し、遷移要求にかかる遷移先の遷移先ドメインを遷移先信頼度問い合わせ手段１１９に出力する（ステップＳ３５）。そして、受信端末１Ｂは、ステップＳ３６に処理を進める。ステップＳ３６以降の処理は、図７において説明したステップＳ３以降の処理と同様であるので、説明を省略する。
以上のようにして、信頼度判定システムＳＢは動作する。
【０１１６】
以上の動作によって、信頼度判定システムＳＢは、信頼できる遷移先ドメイン内で遷移要求が連続する場合、信頼度判定装置２との通信を発生させることなく、遷移要求にかかる遷移先のコンテンツを表示することが可能となるので、通信トラフィックの負荷を軽減することができるとともに、受信端末１Ｂの処理速度を高速化することができる。
【０１１７】
なお、第２実施形態にかかる信頼度判定システムＳＢでは、受信端末１Ｂの最新遷移先記憶手段１２５は、最新の遷移要求にかかる遷移先を特定する遷移先情報と、この最新の遷移要求にかかる遷移先の信頼度と、の対応付けを一時的に記憶することとしたが、これに限らず、この最新の遷移要求にかかる遷移先情報と、この遷移先情報で特定される遷移先の信頼度に基づいて制御ポリシー判定手段１２１で解釈された制御ポリシーの解釈結果と、の対応付けを一時的に記憶することとしてもよい。これによれば、制御ポリシー判定手段１２１によって、遷移要求にかかる遷移先の信頼度に対応する制御ポリシーを解釈する処理を省略することができるので、受信端末１Ｂの負荷を軽減し、さらに処理を高速化することができる。
【０１１８】
＜第３実施形態＞
［信頼度判定システムの構成］
次に、図１１を参照して、本発明の第３実施形態に係る信頼度判定システムの構成について説明する。
信頼度判定システムＳＣは、ユーザから受信端末に対し外部の通信コンテンツへの遷移要求がなされた際に、受信端末で、この遷移先の信頼度を信頼度リストに基づいて判定し、この信頼度に応じて予め規定された制御ポリシーにしたがって、ユーザの表示画面Ｄの遷移制御あるいは画面表示制御を行うシステムである。
信頼度判定システムＳＣは、受信端末にユーザから遷移要求が入力された場合に、受信端末内でこの遷移要求にかかる遷移先の信頼度を判定する点が、信頼度判定システムＳおよび信頼度判定システムＳＢと異なっている。
ここでは、信頼度判定システムＳＣは、受信端末１Ｃと、１つ以上のサービス提供装置３を含むサービス提供装置群と、放送局４Ｃが備える通信装置４１と、をネットワークＮを介して接続して構成している。サービス提供装置３は、図１で説明したものと同一であるため、説明を省略する。なお、さらに放送局４Ｃが備える放送送信装置４２と、制御ポリシー生成装置４３と、信頼度リスト生成装置４４と、がネットワークＮを介して接続されていてもよい。
【０１１９】
放送局４Ｃは、放送波を介してストリームを受信端末１に送信し、さらに、放送波あるいはネットワークＮを介して、遷移要求にかかる遷移先の信頼度に応じた受信端末１の画面遷移あるいは画面表示についての動作を規定する制御ポリシーを受信端末１に送信するものである。放送局４Ｃには、ここでは、図１１に示すように、通信装置４１と、放送送信装置４２と、制御ポリシー生成装置４３と、信頼度リスト生成装置４４と、が備えられている。放送局４Ｃにおいて、信頼度リスト生成装置４４以外の構成は、図１で説明した放送局４と同じであるため、説明を省略する。
【０１２０】
信頼度リスト生成装置４４は、放送事業者が予めピックアップした遷移先とその遷移先についての信頼度とを対応付けた信頼度リストを予め生成するものである。信頼度リスト生成装置４４は、図示しない入力手段等を介して、遷移先を特定する遷移先情報およびこの遷移先情報に対する信頼度の入力を受け付けると、この遷移先情報と信頼度とを対応付けたテーブルを生成し、更新可能である。この遷移先情報は、例えば、遷移先ドメインであってもよいし、遷移先ＵＲＬであってもよい。このようにして生成された信頼度リストは、図６で説明した信頼度リストと同様の構成となっている。
【０１２１】
この信頼度リスト生成装置４４は、例えば図示しない入力手段を介して外部から入力された更新要求に応じて、あるいは、予め定めた更新タイミング（例えば、番組編成情報と連動させたタイミングなど）にしたがって新しい信頼度リストを生成するようになっている。この更新要求は、例えば、図示しない入力手段等を介して外部から入力される。
【０１２２】
信頼度リスト生成装置４４は、更新後の信頼度リストを、放送送信装置４２に出力し、放送波を介してＰｕｓｈ型で受信端末１Ｃに送信するようにしてもよいし、放送波を介して更新後の信頼度リストを取得するためのトリガを受信端末１Ｃに与えて、受信端末１Ｃからの要求に応じてＰｕｌｌ型で受信端末１Ｃに送信するようにしてもよい。
【０１２３】
信頼度リスト生成装置４４は、更新後の信頼度リストをＰｕｌｌ型で送信する場合、データ信号として信頼度リストの更新を通知するイベント信号を多重化したストリームを生成し、このストリームを、放送送信装置４２を介して受信端末１に送信する。この更新イベントには、更新後の信頼度リストの取得方法（放送あるいは通信の別）、および、取得方法が放送の場合は、更新後の信頼度リストのパケットを格納するパケット識別子、一方、取得方法が通信の場合は、更新後の信頼度リストの取得先である指定先ＵＲＩが含まれる。
【０１２４】
次に、図１２を参照（適宜、図１および図１１参照）して、受信端末１Ｃの構成について説明する。
受信端末１Ｃは、ユーザが、ネットワークＮを介して、サービス提供装置３からサービスの提供を受ける装置である。
【０１２５】
受信端末１Ｃは、ここでは、制御ポリシー記憶手段１１２と、制御手段１１３と、受信手段１１４と、分離手段１１５と、映像信号復号手段１１６と、データ取得手段１１７と、遷移要求検知手段１１８と、制御ポリシー判定手段１２１と、制御ポリシー更新手段１２２と、表示手段１２３と、通信手段１２４と、信頼度リスト記憶手段１２７と、信頼度判定手段１２８と、信頼度リスト更新手段１２９と、を備えている。
受信端末１Ｃにおいて、制御ポリシー記憶手段１１２と、制御手段１１３と、受信手段１１４と、分離手段１１５と、映像信号復号手段１１６と、データ取得手段１１７と、遷移要求検知手段１１８と、制御ポリシー判定手段１２１と、制御ポリシー更新手段１２２と、表示手段１２３と、通信手段１２４は、図１で説明した受信端末１の構成と同一であるため、説明を省略する。
【０１２６】
信頼度リスト記憶手段１２７は、信頼度リスト更新手段１２９で取得された信頼度リストを記憶するものである。信頼度リスト記憶手段１２７は、例えば図６に示したような信頼度リストを記憶する。この信頼度リストは、信頼度判定手段１２８によって適宜参照される。この信頼度リスト記憶手段１２７は、例えば、外部から読み取りや書き取りが可能な磁気ディスクや不揮発性メモリなどの記憶媒体で実現することができる。また、これらの記憶手段は、制御ポリシー記憶手段１１２と個別の記憶媒体として構成してもよいし、１つの記憶媒体で異なる記憶領域に記憶する構成としてもよい。
【０１２７】
信頼度判定手段１２８は、遷移要求検知手段１１８から遷移要求にかかる遷移先を特定する遷移先情報の入力を受け付け、この遷移先情報で特定される遷移先の信頼度を判定するものである。
信頼度判定手段１２８は、遷移要求検知手段１１８から遷移要求にかかる遷移先を特定する遷移先情報（ここでは、遷移先ドメイン）の入力を受け付けると、信頼度リスト記憶手段１２７を参照し、遷移先ドメインと対応付けて記憶された遷移先の信頼度を判定する。信頼度判定手段１２８は、判定結果である遷移先の信頼度を、制御ポリシー判定手段１２１に出力する。
【０１２８】
信頼度リスト更新手段１２９は、信頼度リスト生成装置４４で生成された更新後の信頼度リストを取得し、信頼度リスト記憶手段１２７に記憶された信頼度リストをこの更新後の信頼度リストに書き換えて更新するものである。
信頼度リスト生成装置４４において、新たな信頼度リストが生成された場合、信頼度リスト更新手段１２９は、この更新後の信頼度リストをＰｕｓｈ型で取得するか、あるいは、信頼度リスト生成装置４４から更新のためのトリガを与えられた場合、更新後の信頼度リストをＰｕｌｌ型で取得する。
【０１２９】
例えば、更新のためのトリガとして、信頼度リスト生成装置４４において、更新を通知するイベント信号が生成され、放送送信装置４２において、このイベント信号と映像信号および音声信号とデータ信号とを多重化したトランスポートストリームが生成されて受信端末１Ｃに送信された場合、受信端末１Ｃは、受信手段１１４によって、このストリームを受信し、分離手段１１５によって、ストリームから更新を通知するイベント信号を抽出し、信頼度リスト更新手段１２９に引き渡す。
そして、信頼度リスト更新手段１２９は、イベント信号を参照し、更新後の信頼度リストの取得方法を判別する。そして、信頼度リスト更新手段１２９は、更新後の信頼度リストの取得方法が放送であると判断した場合、放送送信装置４２から放送波を介して送信されたストリームに多重化された更新後の信頼度リストを取得する。一方、更新後の信頼度リストの取得方法が通信であると判断した場合、信頼度リスト更新手段１２９は、通信手段１２４を介して指定先ＵＲＩから更新後の信頼度リストを取得する。そして、信頼度リスト更新手段１２９は、信頼度リスト記憶手段１２７に記憶された信頼度リストを、制御手段１１３から引き渡された更新後の信頼度リストに書き換えて更新する。
【０１３０】
このように構成することで、受信端末１Ｃは、ユーザからの遷移要求に対し、外部との通信を発生させることなく、この遷移要求にかかる遷移先の信頼度を判定することができる。
【０１３１】
［信頼度判定システムの動作］
次に、図１３を参照（適宜、図１１および図１２を参照）して、本発明の第３実施形態に係る信頼度判定システムＳＣの動作について説明する。ここでは主に、表示画面Ｄに表示されたコンテンツを参照したユーザによって、受信端末１Ｃに外部サービスへの遷移要求が入力されたときの信頼度判定システムＳＣの処理の流れについて説明する。
【０１３２】
ここでは、表示画面Ｄに、第１実施形態において説明したのと同様の方法で生成された、例えば、図４に示したようなコンテンツが予め表示されているものとする。
またここでは、第１実施形態において説明したのと同様に、受信端末１Ｃの制御ポリシー記憶手段１１２には、例えば図３に示したような制御ポリシーが予め記憶されているものとする。
【０１３３】
まず、受信端末１Ｃは、制御手段１１３によって、ユーザから図示しない入力手段を介して入力された外部サービスへの遷移要求を受け付ける（ステップＳ６１）。
ここでは、表示画面Ｄに、図４に示すようなデータ放送コンテンツと放送映像とが表示されているので、ユーザによって、「○○サービスへ」というボタンが選択される（外部サービスへの遷移要求）と、受信端末１Ｃは、制御手段１１３によって、この遷移要求の入力を受け付ける。
そして、受信端末１Ｃは、この遷移要求を遷移要求検知手段１１８に通知する。受信端末１Ｃは、遷移要求検知手段１１８によって、制御手段１１３から、遷移要求の入力を受け付けると、ユーザから遷移要求があったことを検知し、この遷移要求にかかる遷移先を特定する遷移先情報（ここでは、遷移先ドメイン）を、信頼度判定手段１２８に出力する（ステップＳ６２）。
【０１３４】
次に、受信端末１Ｃは、信頼度判定手段１２８によって、遷移要求検知手段１１８から遷移先ドメインの入力を受け付けると、信頼度リスト記憶手段１２７を参照し、この遷移先ドメインに対応付けて記憶された信頼度を判定し、この判定結果を制御ポリシー判定手段１２１に出力する（ステップＳ６３）。そして、受信端末１Ｃは、ステップＳ５４に処理を進める。
ステップＳ６４以降の処理は、図７において説明したステップＳ８以降の処理と同様であるので、説明を省略する。
【０１３５】
次に、図１４を参照（適宜、図１１および図１２を参照）して、信頼度リスト生成装置４４によって、信頼度リストが更新された場合に、受信端末１Ｃによって、この更新後の信頼度リストを取得し、信頼度リスト記憶手段１２７に記憶されている信頼度リストを更新後の信頼度リストに書き換えて更新するときの信頼度判定システムＳＣの処理の流れについて説明する。
【０１３６】
信頼度リスト生成装置４４は、信頼度リストを更新したときは、更新イベントを生成し、放送送信装置４２に出力する（ステップＳ８１）。
放送送信装置４２は、信頼度リスト生成装置４４から更新イベントの入力を受け付けると、映像信号および音声信号とデータ信号に信頼度リストの更新を通知するイベント信号を多重化したトランスポートストリームを生成し（ステップＳ８２）、このストリームを、放送送信装置４２を介して受信端末１Ｃに送信する（ステップＳ８３）。このイベント信号には、更新後の信頼度リストの取得方法（放送あるいは通信の別）、および、取得方法が放送の場合は、更新後の信頼度リストのパケットを格納するパケット識別子、一方、取得方法が通信の場合は、更新後の信頼度リストの取得先である指定先ＵＲＩが含まれる。
【０１３７】
受信端末１Ｃは、受信手段１１４によって、ストリームを受信し、このストリームを分離手段１１５に出力する（ステップＳ８４）。次に、受信端末１Ｃは、分離手段１１５によって、このストリームからイベント信号を抽出し、信頼度リスト更新手段１２９に出力する（ステップＳ８５）。そして、受信端末１Ｃは、信頼度リスト更新手段１２９によって、イベント信号を参照し、更新後の信頼度リストの取得方法を判別する（ステップＳ８６）。
次に、受信端末１Ｃは、信頼度リスト更新手段１２９によって、取得方法が放送であると判断した場合は、ステップＳ８７に処理を進める。一方、受信端末１Ｃは、信頼度リスト更新手段１２９によって、取得方法が通信であると判断した場合は、ステップＳ８８に処理を進める。
【０１３８】
続いて、受信端末１Ｃは、ステップＳ８６において、信頼度リスト更新手段１２９によって、取得方法が放送であると判断した場合、放送波を介して、指定されたパケット識別子の信頼度リストのパケットを収集し、ステップＳ８９に動作を進める（ステップＳ８７）。一方、受信端末１Ｃは、ステップＳ８６において、信頼度リスト更新手段１２９によって、取得方法が通信であると判断した場合、通信手段１２４を介して指定先ＵＲＩから更新後の信頼度リストを取得し、ステップＳ８９に動作を進める（ステップＳ８８）。そして、受信端末１Ｃは、信頼度リスト更新手段１２９によって、信頼度リスト記憶手段１２７に記憶された信頼度リストを、更新後の信頼度リストに書き換えて更新する（ステップＳ８９）。
【０１３９】
なお、放送局４Ｃの信頼度リスト生成装置４４によって、制御ポリシーが更新された場合に、受信端末１Ｃによって、放送局４Ｃの信頼度リスト生成装置４４からこの更新後の制御ポリシーを取得し、制御ポリシー記憶手段１１２に記憶されている制御ポリシーを更新後の制御ポリシーに書き換えて更新するときの信頼度判定システムＳＣの処理の流れは、図８で説明した信頼度判定システムＳの処理と同様であるので、説明を省略する。
【０１４０】
以上のようにして、信頼度判定システムＳＣは動作する。
以上の動作によって、信頼度判定システムＳＣは、受信端末１Ｃ内で、遷移要求にかかる遷移先の信頼度を判定するとともにこの遷移先の信頼度に応じて規定された制御ポリシーを判定し、この制御ポリシーにしたがって、表示画面Ｄの画面遷移制御あるいは画面表示制御を行うことができる。
【０１４１】
以上、本発明の実施形態について説明したが、本発明は前記した実施形態に限定されるものではなく、本発明の趣旨を逸脱しない範囲で適宜変更が可能である。
例えば、前記した実施形態では、放送局４，４Ｃの数を１つとした場合について説明したが、これに限定されるものではなく、複数設けてもよいことはもちろんである。
【符号の説明】
【０１４２】
１，１Ｂ，１Ｃ      受信端末
１１１  問い合わせ先記憶手段
１１２  制御ポリシー記憶手段
１１３  制御手段
１１４  受信手段
１１５  分離手段
１１６  映像信号復号手段
１１７  データ取得手段
１１８  遷移要求検知手段
１１９  遷移先信頼度問い合わせ手段
１２０  信頼度受信手段
１２１  制御ポリシー判定手段
１２２  制御ポリシー更新手段
１２３  表示手段
１２４  通信手段
１２５  最新遷移先記憶手段
１２６  問い合わせ要否判定手段
１２７  信頼度リスト記憶手段
１２８  信頼度判定手段
１２９  信頼度リスト更新手段
２      信頼度判定装置
２１１  通信手段
２１２  信頼度リスト生成手段
２１３  信頼度リスト記憶手段
２１４  信頼度判定手段
３      サービス提供装置
４，４Ｃ      放送局
４１    通信装置
４２    放送送信装置
４３    制御ポリシー生成装置
４４    信頼度リスト生成装置
Ｄ      表示画面
Ｎ      ネットワーク
Ｓ，ＳＢ，ＳＣ      信頼度判定システム
【図１】
2012221346.tif 000003
【図２】
2012221346.tif 000004
【図３】
2012221346.tif 000005
【図４】
2012221346.tif 000006
【図５】
2012221346.tif 000007
【図６】
2012221346.tif 000008
【図７】
2012221346.tif 000009
【図８】
2012221346.tif 000010
【図９】
2012221346.tif 000011
【図１０】
2012221346.tif 000012
【図１１】
2012221346.tif 000013
【図１２】
2012221346.tif 000014
【図１３】
2012221346.tif 000015
【図１４】
2012221346.tif 000016